(57)【要約】      （修正有）【課題】布地処理組成物に関する。また、家庭での洗濯を含む布地処理の用途において、布地を処理し、それによって改善された布地ケアを提供する。【解決手段】少なくとも２つの反対に荷電したポリマー、すなわち、１つの陽イオン性ポリマーと１つの陰イオン性ポリマーとを含む、布地処理組成物である。これら２つのポリマーのうち少なくとも１つがシリコーンポリマーであって、コアセルベート相を形成する布地処理組成物。【選択図】なし【特許請求の範囲】
【請求項１】
少なくとも１つの陽イオン性ポリマーと少なくとも１つの陰イオン性ポリマーとを含む布地処理組成物であって、これら２つのポリマーのうち少なくとも１つは、シリコーンポリマーであり、前記組成物が、コアセルベート相を形成する、布地処理組成物。
【請求項２】
前記陰イオン性ポリマーがシリコーンポリマーであり、前記陽イオン性ポリマーがシリコーン非含有ポリマーである、請求項１に記載の布地処理組成物。
【請求項３】
前記陽イオン性ポリマーがシリコーンポリマーであり、前記陰イオン性ポリマーがシリコーン非含有ポリマーである、請求項１に記載の布地処理組成物。
【請求項４】
前記陰イオン性ポリマー及び前記陽イオン性ポリマーが、共にシリコーンポリマーである、請求項１に記載の布地処理組成物。
【請求項５】
前記陰イオン性ポリマーが、少なくとも１つのカルボキシレート、サルフェート、スルホネート、ホスフェート、又はホスホネート基を含むシリコーン類、及びそれらの誘導体類、並びにそれらの混合物から成る群から選択される、請求項２に記載の布地処理組成物。
【請求項６】
前記陽イオン性ポリマーが、天然由来又は合成由来であり、置換及び非置換のポリ四級アンモニウム化合物、陽イオン修飾多糖類、陽イオン修飾（メタ）アクリルアミドポリマー類／コポリマー類、陽イオン修飾（メタ）アクリレートポリマー類／コポリマー類、キトサン、四級化ビニルイミダゾールポリマー類／コポリマー類、ジメチルジアリルアンモニウムポリマー類／コポリマー類、ポリエチレンイミン系ポリマー類、陽イオン性グアーガム類、及びそれらの誘導体類、並びにこれらの混合物から成る群から選択され、好ましくは陽イオン性グアーヒドロキシプロピルトリアンモニウム塩類及びその誘導体類であり、より好ましくは前記陽イオン性グアーヒドロキシプロピルトリアンモニウム塩類は、ハロゲン化物塩類又はメチルサルフェート塩類であり、さらに好ましくは前記陽イオン性グアーヒドロキシプロピルトリアンモニウム塩類は、塩化物塩類である、請求項２に記載の布地処理組成物。
【請求項７】
前記陰イオン性ポリマーが、キサンタンガム、陰イオン性デンプン、カルボキシメチルグアー、カルボキシメチルヒドロキシプロピルグアー、カルボキシメチルセルロース、Ｎ−カルボキシアルキルキトサン、Ｎ−カルボキシアルキルキトサンアミド類、ペクチン、カラギーナンガム、コンドロイチン硫酸、ヒアルロン酸系ポリマー、アルギン酸系ポリマー、及びそれらの誘導体類、並びにこれらの混合物から成る群から選択される、請求項３に記載の布地処理組成物。
【請求項８】
前記陽イオン性シリコーンポリマーが、次式を有してなり：
【化１】
2010013790.tif 000015
式中：
−Ｒ１は、Ｃ１〜２２アルキル、Ｃ２〜２２アルケニル、Ｃ６〜２２アルキルアリール、アリール、シクロアルキル、及びこれらの混合物から成る群から独立して選択され；
−Ｒ２は、１つ以上の酸素原子を含有し得る二価の有機部分から成る群から独立して選択され；
−Ｘは、開環エポキシド類から成る群から独立して選択され；
−Ｒ３は、次式を有するポリエーテル基から独立して選択され：
−Ｍ１（ＣａＨ２ａＯ）ｂ−Ｍ２
式中、Ｍ１は、二価の炭化水素残基であり；Ｍ２は、Ｈ、Ｃ１〜２２アルキル、Ｃ２〜２２アルケニル、Ｃ６〜２２アルキルアリール、アリール；シクロアルキル、Ｃ１〜２２ヒドロキシアルキル、ポリアルキレンオキシド、又は（ポリ）アルコキシアルキルであり；
−Ｚは、少なくとも１つの四級化窒素原子を含む一価の有機部分から成る群から独立して選択され；
−ａは、２〜４であり；ｂは、０〜１００であり；ｃは、１〜１０００、好ましくは２０より大きく、より好ましくは５０より大きく、好ましくは５００未満、より好ましくは３００未満、最も好ましくは１００〜２００であり；ｄは、０〜１００であり；ｎは、陽イオン性シリコーンポリマーに関連した正電荷の数で、２以上であり；Ａは、一価の陰イオンであり；
ここで、Ｚは、好ましくは次から成る群から独立して選択され：
【化２】
2010013790.tif 000016
式中：
−Ｒ１２、Ｒ１３、Ｒ１４は、同一又は異なるものであり、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド；（ポリ）アルコキシアルキル、及びこれらの混合物から成る群から選択され；
−Ｒ１５は、−Ｏ−又はＮＲ１９であり；
−Ｒ１６は、二価の炭化水素残基であり；
−Ｒ１７、Ｒ１８、Ｒ１９は、同一又は異なるものであり、Ｈ、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド、（ポリ）アルコキシアルキル、及びこれらの混合物から成る群から選択され；ｅは、１〜６である、請求項３に記載の布地処理組成物。
【請求項９】
前記陽イオン性シリコーンポリマーが、次の交互ユニットで構成され：
（ｉ）次式のポリシロキサン：
【化３】
2010013790.tif 000017
及び
（ｉｉ）少なくとも２つの四級化窒素原子を含む二価の有機部分；
式中：
−Ｒ１は、Ｃ１〜２２アルキル、Ｃ２〜２２アルケニル、Ｃ６〜２２アルキルアリール、アリール、シクロアルキル、及びこれらの混合物から成る群から独立して選択され；
−Ｒ２は、１つ以上の酸素原子を含有し得る二価の有機部分から成る群から独立して選択され；
−Ｘは、開環エポキシド類から成る群から独立して選択され；
−Ｒ３は、次式を有するポリエーテル基から独立して選択され：
−Ｍ１（ＣａＨ２ａＯ）ｂ−Ｍ２
式中、Ｍ１は、二価の炭化水素残基であり；Ｍ２は、Ｈ、Ｃ１〜２２アルキル、Ｃ２〜２２アルケニル、Ｃ６〜２２アルキルアリール、アリール、シクロアルキル、Ｃ１〜２２ヒドロキシアルキル、ポリアルキレンオキシド、又は（ポリ）アルコキシアルキルであり；
−ａは、２〜４であり；ｂは、０〜１００であり；ｃは、１〜１０００、好ましくは２０より大きく、より好ましくは５０より大きく、好ましくは５００未満、より好ましくは３００未満、最も好ましくは１００〜２００であり；ｄは、０〜１００である、請求項３に記載の布地処理組成物。
【請求項１０】
前記陽イオン性シリコーンポリマーが、次の交互ユニットで構成され、
（ｉ）次式のポリシロキサン：
【化４】
2010013790.tif 000018
及び
（ｉｉ）次から成る群から選択される陽イオン性の二価の有機部分：
【化５】
2010013790.tif 000019
（ｉｉｉ）（ｉｉｉ）所望により、次式のポリアルキレンオキシドアミンであって：
［−Ｙ−Ｏ（−ＣａＨ２ａＯ）ｂ−Ｙ−］
式中、Ｙは、二級若しくは三級アミンを含む二価の有機基、好ましくはＣ１〜Ｃ８アルキレンアミン残基であり；ａは、２〜４であり、ｂは、０〜１００であるもの；並びに
（ｉｖ）所望により、次から成る群から選択される、末端基として使用される陽イオン性の一価の有機部分であって：
【化６】
2010013790.tif 000020
式中：−Ｒ４、Ｒ５、Ｒ６、Ｒ７、Ｒ８、Ｒ９、Ｒ１０、Ｒ１１は、同一又は異なるものであり、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド；（ポリ）アルコキシアルキル、及びこれらの混合物から成る群から選択され；あるいは、Ｒ４及びＲ６、又はＲ５及びＲ７、又はＲ８及びＲ１０、又はＲ９及びＲ１１は、架橋アルキレン基の構成要素であってもよく；
−Ｒ１２、Ｒ１３、Ｒ１４は、同一又は異なるものであり、Ｃ１〜２２アルキル；Ｃ２〜２２アルケニル；Ｃ６〜２２アルキルアリール；Ｃ１〜２２ヒドロキシアルキル；ポリアルキレンオキシド；（ポリ）アルコキシアルキル基、及びこれらの混合物から成る群から選択され；
−Ｒ１５は、−Ｏ−又はＮＲ１９であり；
−Ｒ１６及びＭ１は、同一又は異なる二価の炭化水素残基であり；
−Ｒ１７、Ｒ１８、Ｒ１９は、同一又は異なるものであり、Ｈ、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド、（ポリ）アルコキシアルキル、及びこれらの混合物から成る群から選択され；
−Ｚ１及びＺ２は、少なくとも２つの炭素原子を含み、所望によりヒドロキシ基を含有する、同一又は異なる二価の炭化水素基であり、１つ若しくはいくつかのエーテル基、エステル基、又はアミド基によって割り込まれていてもよく；
−ｅは、１〜６であり；ｍは、陽イオン性の二価の有機部分に関連した正電荷の数で、２以上であり；Ａは、陰イオンであるもの；
ここで、オルガノシリコーン非含有部分の全モル数に対する分率として表したときに、陽イオン性の二価の有機部分（ｉｉ）は、好ましくは０．０５〜１．０モル分率、より好ましくは０．２〜０．９５モル分率、最も好ましくは０．５〜０．９モル分率で存在し；ポリアルキレンオキシドアミン（ｉｉｉ）は、０．０〜０．９５モル分率、好ましくは０．００１〜０．５、より好ましくは０．０５〜０．２モル分率で存在することができ；陽イオン性の一価の有機部分（ｉｖ）は、存在する場合、０〜０．２モル分率、好ましくは０．００１〜０．２モル分率で存在する、請求項３に記載の布地処理組成物。
【請求項１１】
前記陽イオン性シリコーンポリマーが、次式を有してなり：
【化７】
2010013790.tif 000021
式中：−Ｒ１は、Ｃ１〜２２アルキル；Ｃ２〜２２アルケニル；Ｃ６〜２２アルキルアリール；アリール；シクロアルキル、及びこれらの混合物から成る群から独立して選択され；
−Ｒ２は、１つ以上の酸素原子を含有し得る二価の有機部分から成る群から独立して選択され；
−Ｘは、開環エポキシド類から成る群から独立して選択され；
−Ｒ３は、次式を有するポリエーテル基から独立して選択され；
−Ｍ１（ＣａＨ２ａＯ）ｂ−Ｍ２
式中、Ｍ１は、二価の炭化水素残基であり；Ｍ２は、Ｈ、Ｃ１〜２２アルキル、Ｃ２〜２２アルケニル、Ｃ６〜２２アルキルアリール、アリール、シクロアルキル、Ｃ１〜２２ヒドロキシアルキル、ポリアルキレンオキシド、又は（ポリ）アルコキシアルキルであり；
−Ｘは、開環エポキシド類から成る群から独立して選択され、
−Ｗは、少なくとも１つの四級化窒素原子を含む二価の有機部分から成る群から独立して選択され；
−ａは、２〜４であり；ｂは、０〜１００であり；ｃは、１〜１０００、好ましくは２０より大きく、より好ましくは５０より大きく、好ましくは５００未満、より好ましくは３００未満、最も好ましくは１００〜２００であり；ｄは、０〜１００であり；ｎは、陽イオン性シリコーンポリマーに関連した正電荷の数で、１以上であり；Ａは、一価の陰イオン、換言すれば、好適な対イオンであり；
ここで、Ｗは、好ましくは次から成る群から選択され：
【化８】
2010013790.tif 000022
−Ｒ４、Ｒ５、Ｒ６、Ｒ７、Ｒ８、Ｒ９、Ｒ１０、Ｒ１１は、同一又は異なるものであり、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド；（ポリ）アルコキシアルキル、及びこれらの混合物から成る群から選択され；あるいは、Ｒ４及びＲ６、又はＲ５及びＲ７、又はＲ８及びＲ１０、又はＲ９及びＲ１１は、架橋アルキレン基の構成要素であってもよく；
−Ｚ１及びＺ２は、少なくとも２つの炭素原子を含み、所望によりヒドロキシ基を含有する、同一又は異なる二価の炭化水素基であり、１つ若しくはいくつかのエーテル基、エステル基、又はアミド基によって割り込まれていてもよい、請求項３に記載の布地処理組成物。
【請求項１２】
前記陽イオン性ポリマーが、請求項８〜１１に記載のポリマー類から選択され、前記陰イオン性ポリマーが、請求項５に記載のポリマー類から選択される、請求項４に記載の布地処理組成物。
【請求項１３】
陰イオン性界面活性剤、陽イオン性界面活性剤、非イオン性界面活性剤、双極性界面活性剤、両性界面活性剤、及びこれらの混合物から成る群から選択される界面活性剤をさらに含み、所望により、安定剤；カップリング剤；洗剤ビルダー；布地持続性香料；酵素；キレート剤；発泡系；抑泡系；液体キャリア；アミノシリコーン；窒素非含有シリコーンポリマー；及びこれらの混合物から成る群から選択される、１つ以上の洗濯補助物質をさらに含む、請求項１〜１２のいずれか一項に記載の布地処理組成物。
【請求項１４】
前記組成物が、すすぎ添加布地柔軟化組成物、若しくは布地仕上げ組成物、若しくは洗
濯洗剤組成物、好ましくは液体洗濯洗剤組成物、又はこれらのいずれかの組み合わせであ
る、請求項１〜１３のいずれか一項に記載の布地処理組成物の使用。
【請求項１５】
布地基材上に、皺低減効果；皺除去効果；防皺効果；布地柔軟性効果；布地感触効果；衣類形状保持効果；衣類形状回復効果；弾力性効果；アイロンがけを容易にする効果；香料効果；カラーケア効果；又はこれらのいずれかの組み合わせから成る群から選択される少なくとも１つ以上の布地ケア効果を付与するための、請求項１〜１４のいずれか一項に記載の布地処理組成物の使用。
【請求項１６】
基材を処理する方法であって、当該基材と請求項１〜１５のいずれか一項に記載の布地処理組成物とを、当該基材が処理されるように接触させることを含む方法。
【発明の詳細な説明】
【技術分野】
【０００１】
本発明は、布地処理組成物に関する。本発明はまた、家庭での洗濯を含めた布地処理の用途において布地を処理し、それによって改善された布地ケアを提供する方法に関する。
【背景技術】
【０００２】
消費者は、布地を洗濯するときには、優れた洗浄効果だけを望むのではなく、優れた布地ケア効果の付与も求める。そのようなケアは、皺低減効果；皺除去効果；防皺効果；布地柔軟性効果；布地感触効果；衣類形状保持効果；衣類形状回復効果；弾力性効果；アイロンがけの容易さの効果；香料効果；カラーケア効果；又はこれらのいずれかの組み合わせのうちの１つ以上によって例示することができる。
【０００３】
洗濯操作の間に布地ケア効果を提供できる組成物が知られており、例えば、すすぎ添加布地柔軟化組成物の形態がある。また、洗浄効果と、布地ケア効果、例えば布地柔軟化効果とを同時に提供できる組成物も知られており、例えば、「ツー・イン・ワン（2-in-1）」組成物、及び／又は「洗いを通じて柔軟化する」組成物の形態がある。
【０００４】
洗濯においては、布地ケアを確実にする独特で重要な問題が存在している。国際公開第０１／２５３８７Ａ１号（ユニリーバ（Unilever）、２００１年４月１２日公開）は、架橋可能な陰イオン性ポリマーと、繊維製品と適合性のある、陰イオン性ポリマーのための排出剤の働きをする布地コンディショニング剤とを含む、布地ケア組成物を記載している。その組成物は、布地の寸法安定性の向上、表面の鮮明度の改善、より柔らかな手触り、及び折り目の回復の改善をもたらす。国際公開第０１／２５３８６Ａ１号（ユニリーバ（Unilever）、２００１年４月１２日公開）は、数ある中でもアミノポリジメチル−シロキサンポリアルキレンオキシドコポリマー類から選択される皺低減剤を含む、表面洗濯洗剤組成物を開示している。当該技術分野の進展にもかかわらず、布地ケアの改善が依然として必要とされている。特に、１つよりも多くの布地ケア成分の組み合わせが妥協のないレベルの布地ケアを提供するように、適合性のある布地ケア成分を選択することに関して、未解決の重要な問題が残っている。さらに、当該組成物が洗濯洗剤組成物であるときには、優れた布地ケア効果を確実にすると同時に、卓越した洗浄及び配合安定性若しくは柔軟性を確実にするような形で、陰イオン性界面活性剤と陽イオン性の布地ケア有益剤とを組み合わせることが、特に困難なままである。
【０００５】
したがって、本発明の目的には、前述した技術的問題を解決すること、並びに優れた布地ケアを確実にする、特に選ばれた陽イオン性布地ケア剤及び所望により他の補助剤を有する組成物及び方法を提供することが含まれる。
【０００６】
本発明の１つの実施形態は、少なくとも２つの反対に帯電したポリマー、すなわち、１つの陽イオン性ポリマーと１つの陰イオン性ポリマーとを含む、布地処理組成物である。これら少なくとも２つのポリマーのうち少なくとも１つは、シリコーンポリマーである。ポリマーを２つだけ含む組成物を考えると、次の組み合わせが可能である：陰イオン性ポリマーがシリコーンポリマーで、陽イオン性ポリマーがシリコーン非含有ポリマーである組成物、並びに陽イオン性ポリマーがシリコーンポリマーで、陰イオン性ポリマーがシリコーン非含有ポリマーである組成物。ただし、陽イオン性ポリマーがシリコーンポリマーで、陰イオン性ポリマーもまたシリコーンポリマーである組成物も、やはりこれに含まれる。本発明の布地処理組成物は、コアセルベート相を形成する。前述の反対に帯電したポリマー類の組み合わせは、家庭での洗濯において優れた布地ケアを提供する。
【０００７】
本発明は、前述で例示したような優れた布地ケア及び／又は衣類ケアを付与する。さらに、本発明は、厳密な実施形態によっては、提供される家庭用洗濯組成物の優れた配合の柔軟性及び／又は配合安定性を含めた、他の利点を有する。
【０００８】
驚いたことに、陽イオン性ポリマー並びに陰イオン性ポリマーの両方の選択を適切に配慮すると、家庭用洗濯製品の予期せぬ良好な布地ケア及び／又は消費者の容認が得られることが判明した。さらに、本発明で見出された家庭での洗濯における優れた布地ケア又は衣類ケア効果には、予期せぬことに、自動洗濯機で洗う前の処理（前処理効果）や、本発明の製品が機器内ですすぎの際又は布地か衣類の脱水若しくは乾燥の際に使用されるとき、あるいは機器外部で使用されるときに保証される効果を含めた、洗いを通しての効果及び後処理効果のように、本明細書の製品が様々な方式で使用されるときの効果も含まれる。さらに、レジメン的な効果、すなわち、従来の洗剤を含む製品システムの使用から、本発明の組成物及びそれと共に使用するために特に配合された組成物の使用を含む製品システムへと切り替える効果が見出された。
【０００９】
本発明の１つの実施形態では、特定の陽イオン性シリコーンポリマーと陰イオン性シリコーン非含有ポリマーとの組み合わせが、布地ケアに対する相乗効果をもたらすことが判明した。本発明の第２の実施形態では、特定の陰イオン性シリコーンポリマーと陽イオン性シリコーン非含有ポリマーとの組み合わせが、布地ケアに対する相乗効果をもたらすことが判明した。本発明の第３の実施形態では、特定の陽イオン性シリコーンポリマーと陰イオン性シリコーンポリマーとの組み合わせが、布地ケアに対する相乗効果をもたらすことが判明した。
【発明の概要】
【００１０】
本発明は、少なくとも１つの陽イオン性ポリマーと少なくとも１つの陰イオン性ポリマーとを含む布地処理組成物であって、これら２つのポリマーのうち少なくとも１つがシリコーンポリマーであり、当該組成物がコアセルベート相を形成する、布地処理組成物に関する。
【００１１】
本発明には、布地基材上に、布地ケア効果を付与するため、並びに／又は皺を低減及び／若しくは防ぐため、並びに／又は布地感触効果及び／若しくは形状保持効果及び／若しくは形状回復及び／若しくは弾力性及び／若しくはアイロンがけを容易にする効果及び／若しくは香料効果及び／若しくは洗浄効果を付与するための、本発明の布地処理組成物の使用がさらに含まれる。
【００１２】
本発明は、基材を処理する方法についてさらに記載する。この方法には、基材と、本発明の布地処理組成物、若しくは液体洗濯洗剤組成物、若しくはすすぎ添加布地柔軟化組成物、若しくは布地仕上げ組成物とを、当該基材が処理されるように接触させることが含まれる。
【発明を実施するための形態】
【００１３】
（Ａ，陽イオン性シリコーンポリマー）
本発明の組成物での使用に選択される陽イオン性シリコーンポリマーは、好ましくは１つ以上のポリシロキサンユニットが、５０〜１０００、好ましくは５０〜５００、より好ましくは５０〜２００の重合度ｃを有する、式−｛（ＣＨ３）２ＳｉＯ｝ｃ−のポリジメチルシロキサンユニットと、少なくとも１つのジ四級（diquaternary）ユニットを含むオルガノシリコーン非含有ユニットとを含む。本発明の好ましい１つの実施形態では、選択される陽イオン性シリコーンポリマーは、０．０５〜１．０モル分率、より好ましくは０．２〜０．９５モル分率、最も好ましくは０．５〜０．９モル分率の、陽イオン性の二価の有機部分から選択されるオルガノシリコーン非含有ユニットを有する。陽イオン性の二価の有機部分は、好ましくは、Ｎ，Ｎ，Ｎ’，Ｎ’−テトラメチル−１，６−ヘキサンジアンモニウムユニットから選択される。
【００１４】
選択される陽イオン性シリコーンポリマーはまた、オルガノシリコーン非含有ユニット全体の０〜０．９５モル分率、好ましくは０．００１〜０．５モル分率、より好ましくは０．０５〜０．２モル分率の、次式のポリアルキレンオキシドアミン類を含有することができ：
［−Ｙ−Ｏ（−ＣａＨ２ａＯ）ｂ−Ｙ−］
式中、Ｙは、二級若しくは三級アミンを含む二価の有機基、好ましくはＣ１〜Ｃ８アルキレンアミン残基であり；ａは、２〜４であり、ｂは、０〜１００である。ポリアルキレンオキシドブロックは、ランダム又はブロック式に、エチレンオキシド（ａ＝２）、プロピレンオキシド（ａ＝３）、ブチレンオキシド（ａ＝４）、及びこれらの混合物で構成されてよい。
【００１５】
このようなポリアルキレンオキシドアミン含有ユニットは、シリコーンポリマー構造内に、ハンツマン・コーポレーション（Huntsman Corporation）からジェファミン（Jeffamine）（登録商標）の商品名で販売されるような化合物を組み込むことによって得ることができる。好ましいジェファミン（Jeffamine）は、ジェファミンＥＤ−２００３（Jeffamine ED-2003）である。
【００１６】
選択される陽イオン性シリコーンポリマーはまた、オルガノシリコーン非含有ユニット全体の０、好ましくは０．００１〜０．２モル分率の−ＮＲ３＋（式中、Ｒは、アルキル、ヒドロキシアルキル、又はフェニル）を含有することができる。これらのユニットは、エンドキャップと考えることができる。
【００１７】
さらに、選択される陽イオン性シリコーンポリマーは、一般に、四級部分の電荷の均衡を保つために、無機及び有機陰イオンから選択される陰イオン、より好ましくは飽和及び不飽和のＣ１〜Ｃ２０カルボキシレート類及びこれらの混合物から選択される陰イオンを含有しており、したがって、陽イオン性シリコーンポリマーはまた、四級部分の電荷の均衡を保つ割合でこのような陰イオンを含む。
【００１８】
概念的には、本明細書の選択される陽イオン性シリコーンポリマー類を、有利には、布地持続性ではない（non-fabric-substantive）、表面エネルギーを変化させる、ポリシロキサンユニットで構成された「ループ（loops）」と、布地持続性（fabric-substantive）の「フック（hooks）」とを含めた、非架橋又は「線状」ブロックコポリマー類と考えることができる。選択される陽イオン性ポリマー類の好ましい部類の１つ（以下で構造１によって示される）は、単一のループと２つのフックとを含むものと考えることができ；きわめて好ましい別の部類は、２つ以上、好ましくは３つ以上の「ループ」と、２つ以上、好ましくは３つ以上の「フック」とを含み（以下で構造２ａ及び２ｂによって示される）、さらに他の部類（以下で構造３によって示される）は、単一の「フック」からの２つの「ループ」側枝を含む。
【００１９】
本明細書での陽イオン性シリコーンポリマー類の選択において特に関心があるのは、「フック」がシリコーンを含有せず、各「フック」が少なくとも２つの四級窒素原子を含むことである。
【００２０】
また、本明細書での好ましい陽イオン性シリコーンポリマー類の選択において重要であるのは、四級窒素が「線状」ポリマーの「主鎖」に優先的に位置することであり、これは、四級窒素が、「主鎖」から外れて「側枝」又は「ダングリング」構造を形成する１つ若しくは複数の部分に組み込まれている、代替的な、あまり好ましくない構造とは対照的である。
【００２１】
構造は、末端部分によって完成され、当該末端部分は、非荷電部分又は荷電部分であり得る。さらに、ある特定の割合の非四級シリコーン非含有部分、例えば、前述した［−Ｙ−Ｏ（−ＣａＨ２ａＯ）ｂ−Ｙ−］部分も存在し得る。
【００２２】
言うまでもなく、提示される概念モデルは、他の部分、例えば結合（connector）部分を制限することを目的としたものではなく、これら他の部分は、布地有益剤として意図される機能を大幅に妨害しないことを条件に、選択される陽イオン性シリコーンポリマー類中に存在することができる。
【００２３】
より詳細には、本明細書の陽イオン性シリコーンポリマー類は、１つ以上のポリシロキサンユニットと１つ以上の四級窒素部分とを有してなり、これには、陽イオン性シリコーンポリマーが次式：（構造１）を有するポリマー類が含まれ、
【化１】
2010013790.tif 000002
式中：
−Ｒ１は、Ｃ１〜２２アルキル、Ｃ２〜２２アルケニル、Ｃ６〜２２アルキルアリール、アリール、シクロアルキル、及びこれらの混合物から成る群から独立して選択され；
−Ｒ２は、１つ以上の酸素原子を含有し得る二価の有機部分（このような部分は、好ましくは、Ｃ及びＨから、又は、Ｃ、Ｈ、及びＯから本質的になる）から成る群から独立して選択され；
−Ｘは、開環エポキシド類から成る群から独立して選択され；
−Ｒ３は、次式を有するポリエーテル基から独立して選択され：
−Ｍ１（ＣａＨ２ａＯ）ｂ−Ｍ２
式中、Ｍ１は、二価の炭化水素残基であり；Ｍ２は、Ｈ、Ｃ１〜２２アルキル、Ｃ２〜２２アルケニル、Ｃ６〜２２アルキルアリール、アリール；シクロアルキル、Ｃ１〜２２ヒドロキシアルキル、ポリアルキレンオキシド、又は（ポリ）アルコキシアルキルであり；
−Ｚは、少なくとも１つの四級化窒素原子を含む一価の有機部分から成る群から独立して選択され；
−ａは、２〜４であり；ｂは、０〜１００であり；ｃは、１〜１０００、好ましくは２０より大きく、より好ましくは５０より大きく、好ましくは５００未満、より好ましくは３００未満、最も好ましくは１００〜２００であり；ｄは、０〜１００であり；ｎは、陽イオン性シリコーンポリマーに関連した正電荷の数で、２以上であり；Ａは、一価の陰イオンである。
【００２４】
構造１の陽イオン性シリコーンポリマー類の好ましい１つの実施形態では、Ｚは、次から成る群から独立して選択され：
【化２】
2010013790.tif 000003
式中：
−Ｒ１２、Ｒ１３、Ｒ１４は、同一又は異なるものであり、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド；（ポリ）アルコキシアルキル、及びこれらの混合物から成る群から選択され；
−Ｒ１５は、−Ｏ−又はＮＲ１９であり；
−Ｒ１６は、二価の炭化水素残基であり；
−Ｒ１７、Ｒ１８、Ｒ１９は、同一又は異なるものであり、Ｈ、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド、（ポリ）アルコキシアルキル、及びこれらの混合物から成る群から選択され；ｅは、１〜６である。
【００２５】
きわめて好ましい１つの実施形態では、本明細書の陽イオン性シリコーンポリマー類は、１以上のポリシロキサンユニットと１以上の四級窒素部分とを有してなり、これには、陽イオン性シリコーンポリマーが次式：（構造２ａ）を有するポリマー類が含まれ、
構造２ａ：次の交互ユニットで構成される陽イオン性シリコーンポリマー：
（ｉ）次式のポリシロキサン
【化３】
2010013790.tif 000004
及び
（ｉｉ）少なくとも２つの四級化窒素原子を含む二価の有機部分。
【００２６】
構造２ａが、示された式のポリシロキサンと二価の有機部分との両方の交互の組み合わせを含んでなり、この二価の有機部分が、前述した記述における好ましい「フック」に対応するオルガノシリコーン非含有部分であることに留意されたい。
【００２７】
この好ましい陽イオン性シリコーンポリマーでは、
−Ｒ１は、Ｃ１〜２２アルキル、Ｃ２〜２２アルケニル、Ｃ６〜２２アルキルアリール
、アリール、シクロアルキル、及びこれらの混合物から成る群から独立して選択され；
−Ｒ２は、１つ以上の酸素原子を含有し得る二価の有機部分から成る群から独立して選択され；
−Ｘは、開環エポキシド類から成る群から独立して選択され；
−Ｒ３は、次式を有するポリエーテル基から独立して選択され：
−Ｍ１（ＣａＨ２ａＯ）ｂ−Ｍ２
式中、Ｍ１は、二価の炭化水素残基であり；Ｍ２は、Ｈ、Ｃ１〜２２アルキル、Ｃ２〜２２アルケニル、Ｃ６〜２２アルキルアリール、アリール、シクロアルキル、Ｃ１〜２２ヒドロキシアルキル、ポリアルキレンオキシド、又は（ポリ）アルコキシアルキルであり；
−ａは、２〜４であり；ｂは、０〜１００であり；ｃは、１〜１０００、好ましくは２０より大きく、より好ましくは５０より大きく、好ましくは５００未満、より好ましくは３００未満、最も好ましくは１００〜２００であり；ｄは、０〜１００である。
【００２８】
構造２ａの陽イオン性シリコーンポリマーのさらにきわめて好ましい１つの実施形態では、陽イオン性シリコーンポリマーは、構造２ａとして前述した式のポリシロキサン（ｉ）が次から成る群から選択される（ｉｉ）陽イオン性の二価の有機部分と共に存在する、構造式２ｂを有してなり：
【化４】
2010013790.tif 000005
（ｉｉｉ）所望により、次式のポリアルキレンオキシドアミンも存在し：
［−Ｙ−Ｏ（−ＣａＨ２ａＯ）ｂ−Ｙ−］
−Ｙは、二級若しくは三級アミンを含む二価の有機基、好ましくはＣ１〜Ｃ８アルキレンアミン残基であり；ａは、２〜４であり；ｂは、０〜１００であり；ポリアルキレンオキシドブロックは、ランダム又はブロック式に、エチレンオキシド（ａ＝２）、プロピレンオキシド（ａ＝３）、ブチレンオキシド（ａ＝４）、及びこれらの混合物で構成されてよく；
（ｉｖ）所望により、次から成る群から選択される、末端基として使用される陽イオン性の一価の有機部分も存在し：
【化５】
2010013790.tif 000006
式中：
−Ｒ４、Ｒ５、Ｒ６、Ｒ７、Ｒ８、Ｒ９、Ｒ１０、Ｒ１１は、同一又は異なるものであり、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド；（ポリ）アルコキシアルキル、及びこれらの混合物から成る群から選択され；あるいは、Ｒ４及びＲ６、又はＲ５及びＲ７、又はＲ８及びＲ１０、又はＲ９及びＲ１１は、架橋アルキレン基の構成要素であってもよく；
−Ｒ１２、Ｒ１３、Ｒ１４は、同一又は異なるものであり、Ｃ１〜２２アルキル；Ｃ２〜２２アルケニル；Ｃ６〜２２アルキルアリール；Ｃ１〜２２ヒドロキシアルキル；ポリアルキレンオキシド；（ポリ）アルコキシアルキル基、及びこれらの混合物から成る群から選択され；
−Ｒ１５は、−Ｏ−又はＮＲ１９であり；
−Ｒ１６及びＭ１は、同一又は異なる二価の炭化水素残基であり；
−Ｒ１７、Ｒ１８、Ｒ１９は、同一又は異なるものであり、Ｈ、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド、（ポリ）アルコキシアルキル、及びこれらの混合物から成る群から選択され；
−Ｚ１及びＺ２は、少なくとも２つの炭素原子を含み、所望によりヒドロキシ基を含有する、同一又は異なる二価の炭化水素基であり、１つ若しくはいくつかのエーテル基、エステル基、又はアミド基によって割り込まれていてもよく；
ここで、オルガノシリコーン非含有部分の全モル数に対する分率として表したときに、陽イオン性の二価の有機部分（ｉｉ）は、好ましくは０．０５〜１．０モル分率、より好ましくは０．２〜０．９５モル分率、最も好ましくは０．５〜０．９モル分率で存在し；ポリアルキレンオキシドアミン（ｉｉｉ）は、０．０〜０．９５モル分率、好ましくは０．００１〜０．５、より好ましくは０．０５〜０．２モル分率で存在することができ；陽イオン性の一価の有機部分（ｉｖ）は、存在する場合、０〜０．２モル分率、好ましくは０．００１〜０．２モル分率で存在し；
−ｅは、１〜６であり；ｍは、陽イオン性の二価の有機部分に関連した正電荷の数で、２以上であり；Ａは、陰イオンである。
【００２９】
構造２ｂは、示された式のポリシロキサンと二価の有機部分との両方の交互の組み合わせを含んでなり、この二価の有機部分は、前述した一般的記述における好ましい「フック」に対応するオルガノシリコーン非含有部分であることに留意されたい。構造２ｂには、任意のポリアルキレンオキシ部分及び／若しくは末端基部分が存在する実施形態、又は存在しない実施形態がさらに含まれる。
【００３０】
さらに別の実施形態では、本明細書の陽イオン性シリコーンポリマー類は、１以上のポリシロキサンユニットと１以上の四級窒素部分とを有してなり、これには、陽イオン性シリコーンポリマーが次式：（構造３）を有するポリマー類が含まれ、
【化６】
2010013790.tif 000007
式中：
−Ｒ１は、Ｃ１〜２２アルキル；Ｃ２〜２２アルケニル；Ｃ６〜２２アルキルアリール；アリール；シクロアルキル、及びこれらの混合物から成る群から独立して選択され；
−Ｒ２は、１つ以上の酸素原子を含有し得る二価の有機部分から成る群から独立して選択され；
−Ｘは、開環エポキシド類から成る群から独立して選択され；
−Ｒ３は、次式を有するポリエーテル基から独立して選択され：
−Ｍ１（ＣａＨ２ａＯ）ｂ−Ｍ２
式中、Ｍ１は、二価の炭化水素残基であり；Ｍ２は、Ｈ、Ｃ１〜２２アルキル、Ｃ２〜２２アルケニル、Ｃ６〜２２アルキルアリール、アリール、シクロアルキル、Ｃ１〜２２ヒドロキシアルキル、ポリアルキレンオキシド、又は（ポリ）アルコキシアルキルであり；
−Ｘは、開環エポキシド類から成る群から独立して選択され；
−Ｗは、少なくとも１つの四級化窒素原子を含む二価の有機部分から成る群から独立して選択され、
−ａは、２〜４であり；ｂは、０〜１００であり；ｃは、１〜１０００、好ましくは２０より大きく、より好ましくは５０より大きく、好ましくは５００未満、より好ましくは３００未満、最も好ましくは１００〜２００であり；ｄは、０〜１００であり；ｎは、陽イオン性シリコーンポリマーに関連した正電荷の数で、１以上であり；Ａは、一価の陰イオン、換言すれば、好適な対イオンである。
【００３１】
構造３の好ましい陽イオン性シリコーンポリマー類では、Ｗは、次から成る群から選択
され：
【化７】
2010013790.tif 000008
−Ｒ４、Ｒ５、Ｒ６、Ｒ７、Ｒ８、Ｒ９、Ｒ１０、Ｒ１１は、同一又は異なるものであり、Ｃ１〜２２アルキル、Ｃ２〜２２アルケニル、Ｃ６〜２２アルキルアリール、アリール、シクロアルキル、Ｃ１〜２２ヒドロキシアルキル；ポリアルキレンオキシド；（ポリ）アルコキシアルキル、及びこれらの混合物から成る群から選択され；あるいは、Ｒ４及びＲ６、又はＲ５及びＲ７、又はＲ８及びＲ１０、又はＲ９及びＲ１１は、架橋アルキレン基の構成要素であってもよく；
−Ｚ１及びＺ２は、少なくとも２つの炭素原子を含み、所望によりヒドロキシ基を含有する、同一又は異なる二価の炭化水素基であり、１つ若しくはいくつかのエーテル基、エステル基、又はアミド基によって割り込まれていてもよい。
【００３２】
次の特許及び特許出願を参照すると、本発明で使用するのに適した陽イオン性シリコーンポリマー類がまた開示されている：国際公開第０２／０６４０３号；同第０２／１８５２８号、ＥＰ１１９９３５０；ＤＥ  ＯＳ１００３６５３３；国際公開第００／２４８５３号；同第０２／１０２５９号；同第０２／１０２５７号、及び同第０２／１０２５６号。存在する場合、陽イオン性シリコーン含有ポリマーは、典型的には、組成物の０．００１重量％〜５０重量％、好ましくは少なくとも０．０１重量％〜３０重量％、より好ましくは０．１重量％〜１０重量％、最も好ましくは０．２重量％〜５重量％の範囲の濃度で存在する。
【００３３】
合成例  −  特に既知でなければ、又は特に市販されていなければ、本明細書の陽イオン性シリコーンポリマー類を、国際公開第０２／１８５２８号に開示されている従来の技術によって調製することができる。
【００３４】
（Ｂ，陰イオン性シリコーン含有ポリマー）
陰イオン性ポリマーは、少なくとも１つのカルボキシレート、サルフェート、スルホネート、ホスフェート、又はホスホネート基を含むシリコーン類、及びそれらの誘導体類、並びにこれらの混合物から成る群から選択される。存在する場合、陰イオン性シリコーン含有ポリマーは、典型的には、組成物の０．００１重量％〜５０重量％、好ましくは少なくとも０．０１重量％〜３０重量％、より好ましくは０．１重量％〜１０重量％、最も好ましくは０．２重量％〜５重量％の範囲の濃度で存在する。最も好ましい陰イオン性シリコーン含有ポリマー類は、ＢＡＳＦから商品名デンソドリン（Densodrin）（登録商標）ＯＦ及びデンソドリン（Densodrin）（登録商標）ＳＩとして市販されるもの；Ｏｓｉ／クロンプトン（Osi/Crompton）から商品名ＦＺ−３７０３（登録商標）として市販されるもの；東レ／ダウ・コーニング・シリコーンズ（Toray/Dow Corning Silicones）から商品名ＢＹ１６−７５０（登録商標）及びＢＹ１６−８８０（登録商標）として市販されるもの；ノベオン／ＢＦグッドリッチ（Noveon/BF Goodrich）から商品名ウルトラシル（Ultrasil）（登録商標）ＣＡ−１として市販されるもの；信越（Shin Etsu）から商品名Ｘ２２−３７０１Ｅ（登録商標）として市販されるもの、並びにワッカー（Wacker）から商品名Ｍ−６４２（登録商標）として市販されるものである。
【００３５】
（Ｃ，陽イオン性シリコーン非含有ポリマー）
存在する場合、陽イオン性シリコーン非含有ポリマーは、典型的には、組成物の０．０１重量％〜１０重量％、好ましくは少なくとも０．０５重量％〜５重量％、より好ましくは０．１重量％〜２．０重量％の範囲の濃度で存在する。
【００３６】
好ましい陽イオン性ポリマー類は、組成物の目的用途のｐＨ（一般に、ｐＨ３〜ｐＨ９、好ましくはｐＨ４〜ｐＨ８の範囲）において、少なくとも０．２ｍｅｑ／ｇ、好ましくは少なくとも０．２５ｍｅｑ／ｇ、より好ましくは少なくとも０．３ｍｅｑ／ｇであって、また好ましくは５ｍｅｑ／ｇ未満、より好ましくは３ｍｅｑ／ｇ未満、最も好ましくは２ｍｅｑ／ｇ未満の陽イオン電荷密度を有する。このような好適な陽イオン性ポリマー類の平均分子量は、一般に、１０，０００〜１０，０００，０００、好ましくは５０，０００〜５，０００，０００、より好ましくは１００，０００〜３，０００，０００である。
【００３７】
本発明の組成物に用いるのに適した陽イオン性ポリマー類は、四級アンモニウムのような陽イオン性の窒素含有部分、又は陽イオン性のプロトン化アミノ部分を含有する。陽イオン性のプロトン化アミン類は、組成物の具体的な化学種及び選択されたｐＨに応じて、一級、二級、又は三級アミン（好ましくは二級若しくは三級）にすることができる。陽イオン性ポリマー類に関連して、いずれの陰イオン性対イオン類を使用することもできるが、当該ポリマー類が、水、組成物、又は組成物のコアセルベート相に可溶なままであること、またさらに、当該対イオンが、組成物の必須成分と物理的且つ化学的に適合性があり、さもなければ生成物の性能、安定性、又は審美性を過度に損なわないことを条件とする。そのような対イオン類の非限定例には、ハロゲン化物類（例えば、塩化物、フッ化物、臭化物、ヨウ化物）、サルフェート、及びメチルサルフェートが含まれる。
【００３８】
このようなポリマー類の非限定例は、ＣＴＦＡ化粧品成分辞典（CTFA Cosmetic Ingredient Dictionary）、第３版、エストリン（Estrin）、クロスレー（Crosley）、及びヘインズ（Haynes）編（米国化粧品工業協会（The Cosmetic,Toiletry,and Fragrance Association,Inc.）、ワシントンＤ．Ｃ．（１９８２年））に記載されている。
【００３９】
好適な陽イオン性ポリマー類の非限定例には、陽イオン性プロトン化アミン又は四級アンモニウム官能基を有するビニルモノマーと、アクリルアミド、メタクリルアミド、アルキル及びジアルキルアクリルアミド、アルキル及びジアルキルメタクリルアミド、アルキルアクリレート、アルキルメタクリレート、ビニルカプロラクトン、又はビニルピロリドンのような水溶性のスペーサーモノマーとのコポリマー類が含まれる。
【００４０】
本明細書の組成物の陽イオン性ポリマー類に含めるのに適した、陽イオン性のプロトン化アミノ及び四級アンモニウムモノマーには、ジアルキルアミノアルキルアクリレート、ジアルキルアミノアルキルメタクリレート、モノアルキルアミノアルキルアクリレート、モノアルキルアミノアルキルメタクリレート、トリアルキルメタクリルオキシアルキルアンモニウム塩、トリアルキルアクリルオキシアルキルアンモニウム塩、ジアリル四級アンモニウム塩類で置換されたビニル化合物、並びにピリジニウム、イミダゾリウム、及び四級化ピロリドン、例えば、アルキルビニルイミダゾリウム、アルキルビニルピリジニウム、アルキルビニルピロリドン塩のような環状の陽イオン性窒素含有環を有する、ビニル四級アンモニウムモノマー類が含まれる。
【００４１】
組成物に用いるのに適した他の陽イオン性ポリマー類には、１−ビニル−２−ピロリドンと１−ビニル−３−メチルイミダゾリウム塩とのコポリマー類（例えば塩化物塩）（米国化粧品工業協会（Cosmetic,Toiletry,and Fragrance Association）、すなわち「ＣＴＦＡ」により、当業界ではポリクオタニウム（Polyquaternium）−１６と呼ばれる）；１−ビニル−２−ピロリドンとジメチルアミノエチルメタクリレートとのコポリマー類（当業界では、ＣＴＦＡによりポリクオタニウム−１１と呼ばれる）；例えばジメチルジアリルアンモニウムクロリドホモポリマーを含めた、陽イオン性ジアリル四級アンモニウム含有ポリマー類、アクリルアミドとジメチルジアリルアンモニウムクロリドとのコポリマー類（それぞれ、当業界では、ＣＴＦＡにより、ポリクオタニウム６及びポリクオタニウム７と呼ばれる）；アクリル酸とジメチルジアリルアンモニウムクロリドとのコポリマー類を含めた、アクリル酸の両性コポリマー類（当業界では、ＣＴＦＡにより、ポリクオタニウム２２と呼ばれる）；アクリル酸とジメチルジアリルアンモニウムクロリド及びアクリルアミドとのターポリマー類（当業界では、ＣＴＦＡにより、ポリクオタニウム３９と呼ばれる）；並びにアクリル酸とメタクリルアミドプロピルトリメチルアンモニウムクロリド及びメチルアクリレートとのターポリマー類（当業界では、ＣＴＦＡにより、ポリクオタニウム４７と呼ばれる）が含まれる。好ましい陽イオン性置換モノマー類は、陽イオン性置換ジアルキルアミノアルキルアクリルアミド類、ジアルキルアミノアルキルメタクリルアミド類、及びこれらの組み合わせである。これらの好ましいモノマー類は、次式に従い：
【化８】
2010013790.tif 000009
式中、Ｒ１は、水素、メチル、又はエチルであり；Ｒ２、Ｒ３、及びＲ４は、それぞれ独立して、水素、又は１〜８つの炭素原子、好ましくは１〜５つの炭素原子、より好ましくは１〜２つの炭素原子を有する短鎖アルキルであり；ｎは、１〜８、好ましくは１〜４の値を有する整数であり；Ｘは、対イオンである。Ｒ２、Ｒ３、及びＲ４に結合した窒素は、プロトン化アミン（一級、二級、若しくは三級）であってもよいが、好ましくは、Ｒ２、Ｒ３、及びＲ４それぞれがアルキル基である四級アンモニウムであり、その非限定例は、米国ニュージャージー州クランベリー（Cranberry）のローヌ・プーラン（Rhone-Poulenc）から商品名ポリケア１３３（Polycare 133）として入手可能な、ポリメチアクリルアミドプロピルトリモニウムクロリドである。また、好ましいのは、この陽イオン性モノマーと非イオン性モノマー類とのコポリマー類であって、そのコポリマーの陽イオン電荷密度が前述の範囲内に留まるようなものである。
【００４２】
組成物に用いるのに適した他の陽イオン性ポリマー類には、陽イオン性セルロース誘導体類及び陽イオン性デンプン誘導体類のような、多糖類ポリマー類が含まれる。好適な陽イオン性多糖類ポリマー類には、次式に従うものが含まれ：
【化９】
2010013790.tif 000010
式中、Ａは、デンプン若しくはセルロース無水グルコース残基のような無水グルコース残基であり；Ｒは、アルキレンオキシアルキレン、ポリオキシアルキレン、若しくはヒドロキシアルキレン基、又はこれらの組み合わせであり；Ｒ１、Ｒ２、及びＲ３は、独立して、それぞれ１８までの炭素原子を含有する、アルキル、アリール、アルキルアリール、アリールアルキル、アルコキシアルキル、又はアルコキシアリール基であり、各陽イオン性部分の炭素原子の総数（すなわち、Ｒ１、Ｒ２、及びＲ３の炭素原子の合計）が好ましくは２０以下であり；Ｘは、前述したような陰イオン性の対イオンである。
【００４３】
好ましい陽イオン性セルロースポリマー類は、トリメチルアンモニウム置換エポキシドと反応したヒドロキシエチルセルロースの塩であり、当業界（ＣＴＦＡ）ではポリクオタニウム１０と呼ばれ、アマコール・コーポレーテッド（Amerchol Corp.）（米国ニュージャージー州エジソン（Edison））からポリマーＬＲ、ＪＲ、及びＫＧシリーズのポリマーとして入手可能である。陽イオン性セルロース類の他の好適な種類には、当業界（ＣＴＦＡ）ではポリクオタニウム２４と呼ばれる、ラウリルジメチルアンモニウム置換エポキシドと反応したヒドロキシエチルセルロースのポリマー性四級アンモニウム塩が含まれる。これらの物質は、アマコール・コーポレーション（Amerchol Corp.）から商品名ポリマーＬＭ−２００として入手可能である。
【００４４】
他の好適な陽イオン性ポリマー類には、グアーヒドロキシプロピル塩化トリモニウムのような陽イオン性グアーガム誘導体類が含まれ、その具体例には、ローヌ・プーラン・インコーポレーテッド（Rhone-Poulenc Incorporated）から市販のジャガー（Jaguar）シリーズ、及びハーキュレス・インコーポレーテッド（Hercules,Inc.）のアクアロン部門（Aqualon Division）から市販のＮ−ハンス（N-Hance）シリーズが含まれる。他の好適な陽イオン性ポリマー類には、四級窒素含有セルロースエーテル類が含まれており、その例が、米国特許第３，９６２，４１８号にいくつか記載されている。他の好適な陽イオン性ポリマー類には、エーテル化セルロース、グアー、及びデンプンのコポリマー類が含まれており、その例が、米国特許第３，９５８，５８１号にいくつか記載されている。使用されるときには、本明細書の陽イオン性ポリマー類は、組成物に可溶であるか、又は陽イオン性ポリマーと、前述の陰イオン性、両性、及び／若しくは双極性界面活性剤成分とによって形成される、組成物中の複合コアセルベート相に可溶である。また、陽イオン性ポリマーの複合コアセルベートは、組成物中の他の荷電物質によって形成することもできる。
【００４５】
複合コアセルベートの形成を分析する技術は、当該技術分野において既知である。例えば、選択された希釈のあらゆる段階で、組成物の顕微鏡分析を用いて、コアセルベート相が形成されたかどうかを確認することができる。このようなコアセルベート相は、組成物中の追加的な乳化相として確認可能である。染料の使用は、コアセルベート相を、組成物中に分散する他の不溶性の相から区別するのに役立つ可能性がある。
【００４６】
最も好ましくは、陽イオン性シリコーン非含有ポリマーは、天然由来又は合成由来であり、置換及び非置換のポリ四級アンモニウム化合物、陽イオン修飾多糖類、陽イオン修飾（メタ）アクリルアミドポリマー類／コポリマー類、陽イオン修飾（メタ）アクリレートポリマー類／コポリマー類、キトサン、四級化ビニルイミダゾールポリマー類／コポリマー類、ジメチルジアリルアンモニウムポリマー類／コポリマー類、及びポリエチレンイミン系ポリマー類、及びそれらの誘導体類、並びにこれらの混合物から成る群から選択される。
【００４７】
「化粧品及びパーソナルケアにおけるポリマー科学と技術の原理（Principles of Polymer Science and Technology in Cosmetics and Personal Care）」、ゴッドダード（Goddard）及びグルーバー（Gruber）、特に２６０〜２６１頁を参照すると、好適な合成陽イオン性ポリマー類のさらなるリストを見付けることができる。
【００４８】
（Ｄ，陰イオン性シリコーン非含有ポリマー）
一般に、天然由来に加えて、合成由来の陰イオン性シリコーン非含有ポリマー類も、本発明の組成物に組み込むのに好適である。陰イオン性シリコーン非含有ポリマーは、キサンタンガム、陰イオン性デンプン、カルボキシメチルグアー、カルボキシメチルヒドロキシプロピルグアー、カルボキシメチルセルロース、Ｎ−カルボキシアルキルキトサン、Ｎ−カルボキシアルキルキトサンアミド類、ペクチン、カラギーナンガム、コンドロイチン硫酸、ヒアルロン酸系ポリマー、アルギン酸系ポリマー、及びそれらの誘導体類、並びにこれらの混合物から成る群から選択される。より好ましくは、陰イオン性シリコーン非含有ポリマーは、カルボキシメチルグアー、カルボキシメチルヒドロキシプロピルグアー、カルボキシメチルセルロース、及びキサンタンガム、並びにこれらの誘導体類及び混合物である。存在する場合、陰イオン性シリコーン非含有ポリマーは、典型的には、組成物の０．０１重量％〜１０重量％、好ましくは少なくとも０．０５重量％〜５重量％、より好ましくは０．１重量％〜２．０重量％の範囲の濃度で存在する。最も好ましい陰イオン性シリコーン非含有ポリマー類は、ＣＰケルコ（CPKelco）から商品名ケルザン（Kelzan）（登録商標）ＲＤとして市販されるもの、並びにアクアロン（Aqualon）から商品名ガラクトゾル（Galactosol）（登録商標）ＳＰ７２２Ｓ、ガラクトゾル（登録商標）６０Ｈ３ＦＤ、及びガラクトゾル（登録商標）７０Ｈ４ＦＤとして市販されるものである。
【００４９】
（シリコーン含有ポリマーとシリコーン非含有ポリマーとの間の重量比）
本発明の２つの実施形態では、組成物は、シリコーン含有ポリマーとシリコーン非含有ポリマーとの混合物を含む。これらの場合、シリコーン含有ポリマーとシリコーン非含有ポリマーとの重量比は、１００：１〜１：１、好ましくは５０：１〜５：１、さらに好ましくは３０：１〜１０：１である。
【００５０】
（Ｅ，コアセルベート相）
「コアセルベート相」という語句には、Ｌ．ピクレル（L.Piculell）及びＢ．リンドマン（B.Lindman）の、先端コロイド界面科学（Adv.Colloid Interface Sci.）、４１（１９９２年）、並びにＢ．ヨンソン（B.Jonsson）、Ｂ．リンドマン（B.Lindman）、Ｋ．ホルムバーグ（K.Holmberg）、及びＢ．クロンバーブ（B.Kronberb）の、「水溶液中の界面活性剤及びポリマー（Surfactants and Polymers In Aqueous Solution）」、ジョン・ワイリー・アンド・サンズ（John Wiley & Sons）、１９９８年に開示されているような、当業者に既知のすべての種類の分離したポリマー相が含まれる。コアセルベーションのメカニズム及びそのすべての具体的な形態は、「水性媒質中の界面張力（Interfacial Forces in Aqueous Media）」、Ｃ．Ｊ．ファン・オス（C.J.van Oss）、マーセル・デッカー（Marcel Dekker）、１９９４年、２４５〜２７１頁に、詳細に記載されている。「コアセルベート相」という語句を使用するときには、普通、文献では「複合コアセルベート相」又は「結合型相分離（associated phase separation）」と表されることもある用語を指す。
【００５１】
一般に、本発明の目的では、コアセルベートは、陰イオン性ポリマー及び陽イオン性ポリマーによって形成される。また、より複合的なコアセルベートも、組成物中の他の帯電物質によって、すなわち、陰イオン性、陽イオン性、双極性、及び／又は両性界面活性剤、並びにこれらの混合物と併せて形成することができる。
【００５２】
コアセルベートの形成を分析する技術は、当該技術分野において既知である。例えば、選択された希釈のあらゆる段階で、組成物の顕微鏡分析を用いて、コアセルベート相が形成されたかどうかを確認することができる。このようなコアセルベート相は、組成物中の追加的な乳化相として確認可能である。染料の使用は、コアセルベート相を、組成物中に分散する他の不溶性の相から区別するのに役立つ可能性がある。
【００５３】
コアセルベート相の形成に言及するときには、コアセルベート相が、洗濯処理に適用する間、例えば、洗いサイクルの間及び／又はすすぎサイクルの間に、組成物を希釈剤で希釈するときに構築されることを意味しており、それがきわめて好ましい。また、コアセルベート相の形成に言及するときには、あまり好ましくないが、コアセルベート相が最終組成物中に既に形成されていることも可能であることを意味する。ただし、コアセルベート相が最終組成物中で既に形成されている場合、コアセルベート相が構造マトリックス中に懸濁されることがきわめて好ましい。
【００５４】
（Ｆ，希釈剤）
洗濯処理に適用する間、例えば、洗いサイクルの間及び／又はすすぎサイクルの間に、本発明の布地処理組成物は、通常、希釈剤で希釈されるが、この希釈剤は、好ましくは水性組成物、より好ましくは水である。
【００５５】
（Ｇ，界面活性剤）
本組成物は、陰イオン性、陽イオン性、非イオン性、双極性、及び両性界面活性剤、並びにこれらの混合物から成る群から選択される少なくとも１つの界面活性剤を所望により含んでよく、含むことが好ましい。この構成成分の好適な濃度は、組成物の０．０重量％〜８０重量％、好ましくは５．０重量％〜６５重量％、より好ましくは１０重量％〜５０重量％の範囲である。
【００５６】
（ｇ１）陰イオン性界面活性剤  −  本発明の組成物は、陰イオン性界面活性剤を含む。本来、「界面活性剤科学シリーズ（Surfactant Science Series）」、第７巻、Ｗ．Ｍ．リンフィールド（W.M.Linfield）編、マーセル・デッカー（Marcel Dekker）に開示されているような、洗剤組成物の技術分野において既知のあらゆる陰イオン性界面活性剤を使用してよい。ただし、本発明の組成物は、好ましくは、少なくとも線状アルキルベンゼンスルホン酸のようなスルホン酸界面活性剤を含むが、水溶性塩の形態も使用してよい。陰イオン性界面活性剤は、典型的には、布地処理組成物の１．０重量％〜７０重量％、好ましくは５．０重量％〜５０重量％、より好ましくは１０重量％〜３０重量％の濃度で存在する。
【００５７】
本明細書に用いるのに適した陰イオン性のスルホネート又はスルホン酸界面活性剤には、Ｃ５〜Ｃ２０、より好ましくはＣ１０〜Ｃ１６、より好ましくはＣ１１〜Ｃ１３アルキルベンゼンスルホネート類、Ｃ５〜Ｃ２０アルキルエステルスルホネート類、Ｃ６〜Ｃ２２一級又は二級アルカンスルホネート類、Ｃ５〜Ｃ２０スルホン化ポリカルボン酸類、及びこれらのいずれかの混合物の酸及び塩の形態が含まれるが、Ｃ１１〜Ｃ１３アルキルベンゼンスルホネート類が好ましい。
【００５８】
本発明の組成物に使用するのに適した陰イオン性の硫酸塩又は硫酸の界面活性剤には、９〜２２個の炭素原子、より好ましくは１２〜１８個の炭素原子を有する線状若しくは分枝状のアルキル又はアルケニル部分を有する、一級又は二級アルキルサルフェート類が含まれる。
【００５９】
また、重量平均分枝度が（当該界面活性剤又は混合物の）少なくとも５０％である、β分枝鎖アルキルサルフェート界面活性剤、又は市販物質の混合物も有用である。
【００６０】
また、中鎖分枝状アルキルサルフェート類又はスルホネート類も、本発明の組成物に使用するのに適した陰イオン性界面活性剤である。Ｃ５〜Ｃ２２、好ましくはＣ１０〜Ｃ２０の中鎖分枝状アルキル一級サルフェート類が好ましい。混合物が使用されるときには、アルキル部分に好適な炭素原子の平均総数は、好ましくは１４．５〜１７．５の範囲内である。好ましいモノ−メチル−分枝状一級アルキルサルフェート類は、３−メチル〜１３−メチルペンタデカノールサルフェート類、対応するヘキサデカノールサルフェート類、及びこれらの混合物から成る群から選択される。軽度の分枝を有するジメチル誘導体又は他の生分解性アルキルサルフェート類を、同様に使用することができる。
【００６１】
本明細書に用いるのに適した他の陰イオン性界面活性剤には、脂肪酸メチルエステルスルホネート類及び／又はアルキルエトキシサルフェート類（ＡＥＳ）、及び／又はアルキルポリアルコキシル化カルボキシレート類（ＡＥＣ）が含まれる。陰イオン性界面活性剤の混合物、例えば、アルキルベンゼンスルホネート類とＡＥＳとの混合物を使用することができる。
【００６２】
陰イオン性界面活性剤は、通常は、アルカノールアミン類、又はナトリウムやカリウムのようなアルカリ金属類との塩の形態で存在する。好ましくは、陰イオン性界面活性剤は、モノエタノールアミン又はトリエタノールアミンのようなアルカノールアミン類によって中和されており、液相中で完全に溶解する。
【００６３】
（ｇ２）陽イオン性の窒素含有界面活性剤  −  本発明の組成物に使用するのに適した陽イオン性の窒素含有界面活性剤は、少なくとも１つの四級化窒素と、１つの長鎖ヒドロカルビル基とを有する。また、２つ、３つ、又はさらに４つの長鎖ヒドロカルビル基を含む化合物も含まれる。このような陽イオン性界面活性剤の例には、アルキルトリメチルアンモニウム塩、又はそれらのヒドロキシアルキル置換された類似体、好ましくは、式、Ｒ１Ｒ２Ｒ３Ｒ４Ｎ＋Ｘ−を有する化合物が含まれる。Ｒ１、Ｒ２、Ｒ３、及びＲ４は、Ｃ１〜Ｃ２６アルキル、アルケニル、ヒドロキシアルキル、ベンジル、アルキルベンジル、アルケニルベンジル、ベンジルアルキル、ベンジルアルケニルから独立して選択され、Ｘは、陰イオンである。ヒドロカルビル基Ｒ１、Ｒ２、Ｒ３、及びＲ４は、独立して、一般式（Ｃ２Ｈ４Ｏ）ｘＨの基（ｘは１〜１５、好ましくは２〜５の値を有する）によって、アルコキシル化、好ましくはエトキシル化又はプロポキシル化、より好ましくはエトキシル化することができる。Ｒ２、Ｒ３、又はＲ４のうちベンジルであるのを１つ以下にすべきである。ヒドロカルビル基Ｒ１、Ｒ２、Ｒ３、及びＲ４は、独立して、１つ以上の、好ましくは２つのエステル基（［−Ｏ−Ｃ（Ｏ）−］；［−Ｃ（Ｏ）−Ｏ−］）及び／又はアミド基（［Ｏ−Ｎ（Ｒ）−］；［−Ｎ（Ｒ）−Ｏ−］）（Ｒは、上記のＲ１として定義される）を含むことができる。陰イオンＸは、ハロゲン化物、硫酸メチル（methysulfate）、酢酸、及びリン酸から、好ましくはハロゲン化物及び硫酸メチルから、より好ましくは塩化物及び臭化物から選択してよい。Ｒ１、Ｒ２、Ｒ３、及びＲ４ヒドロカルビル鎖は、様々なヨウ素価、好ましくは０〜１４０のヨウ素価をもつ、完全に飽和した、又は不飽和のものにすることができる。各長鎖アルキル又はアルケニル基の少なくとも５０％は、主に線状であるが、分枝状及び／又は環状の基も含まれる。
【００６４】
長いヒドロカルビル鎖を１つだけ含む陽イオン性界面活性剤の場合、Ｒ１に好ましいアルキル鎖長は、Ｃ１２〜Ｃ１５であり、Ｒ２、Ｒ３、及びＲ４に好ましい基は、メチル及びヒドロキシエチルである。
【００６５】
長いヒドロカルビル鎖を２つ、３つ、又はさらに４つ含む陽イオン性界面活性剤の場合、好ましい全鎖長は、Ｃ１８であるが、ゼロ以外の割合の、低級の、例えば、Ｃ１２、Ｃ１４、Ｃ１６鎖と、いくらか高級の、例えば、Ｃ２０鎖とを有する鎖長の混合が、かなり望ましい可能性がある。
【００６６】
好ましいエステル含有界面活性剤は、次の一般式を有してなり、
｛（Ｒ５）２Ｎ（（ＣＨ２）ｎＥＲ６）２｝＋Ｘ−
式中、各Ｒ５基は、Ｃ１〜４アルキル、ヒドロキシアルキル、又はＣ２〜４アルケニルから独立して選択され；各Ｒ６は、Ｃ８〜２８アルキル又はアルケニル基から独立して選択され；Ｅは、エステル部分、すなわち、−ＯＣ（Ｏ）−又は−Ｃ（Ｏ）Ｏ−であり、ｎは、０〜５の整数であり、Ｘ−は、好適な陰イオン、例えば、塩化物、メトサルフェート（methosulfate）、及びこれらの混合物である。
【００６７】
好ましいエステル含有陽イオン性界面活性剤の第２の種類は、式：｛（Ｒ５）３Ｎ（ＣＨ２）ｎＣＨ（Ｏ（Ｏ）ＣＲ６）ＣＨ２Ｏ（Ｏ）ＣＲ６｝＋Ｘ−によって表すことができ、式中、Ｒ５、Ｒ６、Ｘ、及びｎは、前述のように定義される。この後者の部類は、１，２ビス［固化タローイルオキシ］−３−トリメチルアンモニウムプロパンクロリドによって例示することができる。
【００６８】
本発明の組成物に使用するのに適した陽イオン性界面活性剤は、水溶性、水分散性、又は非水溶性のいずれかにすることができる。
【００６９】
（ｇ３）非イオン性界面活性剤  −  本組成物は、この種の界面活性剤を所望により含んでよく、含むことが好ましい。この構成成分の好適な濃度は、組成物の０．０重量％〜８０重量％、より好ましくは０．１重量％〜５０重量％、より好ましくは１重量％〜３０重量％の範囲である。本質的にすべてのアルコキシル化非イオン性界面活性剤、好適には炭素、水素、及び酸素だけを含有するものを本組成物中に含めることができるが、アミド官能性及び他のヘテロ原子官能性の種類のものも、概ね使用することができる。エトキシル化、プロポキシル化、ブトキシル化、若しくは混合アルコキシル化（例えば、エトキシル化／プロポキシル化）されている脂肪族又は芳香族ヒドロカルビル鎖の非イオン性界面活性剤が好ましい。好適なヒドロカルビル部分は、６〜２２の炭素原子を含有することができ、線状、分枝状、脂環式、又は芳香族とすることができ、非イオン性界面活性剤は、一級又は二級アルコールから誘導することができる。
【００７０】
好ましいアルコキシル化界面活性剤は、エトキシル化、及びエトキシル化／プロポキシル化、若しくはプロポキシル化／エトキシル化されている、線状又は低分枝の一価脂肪族アルコール類の非イオン性縮合体の部類から選択することができ、これらは、天然又は合成とすることができる。また、ノニルフェニルエトキシレート類のようなアルキルフェニルアルコキシレート類も、好適に使用することができる。
【００７１】
非イオン性界面活性剤又は共界面活性剤としてとりわけ好適であるのは、一級脂肪族アルコール類と、Ｃ２〜Ｃ３アルキレンオキシド１〜７５モル、さらに好適には１〜１５モル、好ましくは１〜１１モルとの縮合生成物である。特に好ましいのは、炭素数８〜２０のアルキル基を有するアルコール類と、アルコール１モル当り２〜９モル、特に３又は５モルのエチレンオキシドとの縮合生成物である。
【００７２】
ヘテロ原子として窒素を含有する好適な非イオン性界面活性剤には、構造式Ｒ１ＣＯＮＲ２Ｚを有するポリヒドロキシ脂肪酸アミド類が含まれ、式中、Ｒ１は、Ｃ５〜Ｃ３１ヒドロカルビル、好ましくは直鎖Ｃ７〜Ｃ１９アルキル若しくはアルケニル、より好ましくは直鎖Ｃ１１〜Ｃ１７アルキル若しくはアルケニル、又はこれらの混合物であり；Ｒ２は、Ｈ、Ｃ１〜１８、好ましくはＣ１〜Ｃ４ヒドロカルビル、２−ヒドロキシエチル、２−ヒドロキシプロピル、エトキシ、プロポキシ、又はこれらの混合物、好ましくはＣ１〜Ｃ４アルキル、より好ましくはメチルであり；Ｚは、少なくとも３つのヒドロキシルが鎖に直接結合している線状ヒドロカルビル鎖を有するポリヒドロキシヒドロカルビル、又はそのアルコキシル化（好ましくはエトキシル化若しくはプロポキシル化）誘導体である。Ｚは、好ましくは、グルコースのような還元糖から誘導され、対応する好ましい化合物は、Ｃ１１〜Ｃ１７アルキルＮ−メチルグルカミドである。
【００７３】
本明細書で有用な他の非イオン性界面活性剤には、１以上の−ＯＨ部分が−ＯＲ（式中、Ｒは、典型的にはＣ１〜Ｃ３アルキルのような低級アルキル）によって置換されている、いわゆる「末端保護された」非イオン性物質；長鎖アルキル多糖類、特にポリグリコシド及び／又はオリゴ糖の種類、並びに脂肪酸類をエステル化することによって誘導可能な非イオン性界面活性剤が含まれる。
【００７４】
（ｇ４）両性及び双極性界面活性剤  −  本明細書の組成物に用いるのに適した両性又は双極性の洗浄性界面活性剤には、毛髪ケア又は他のパーソナルケア・クレンジングに使用されることで知られているものが含まれる。このような両性の洗浄性界面活性剤の濃度は、好ましくは、０．０％〜２０％、好ましくは０．５％〜５％の範囲である。好適な双極性又は両性界面活性剤の非限定例は、米国特許第５，１０４，６４６号（ボリッチ・ジュニア（Bolich Jr.）ら）、同第５，１０６，６０９号（ボリッチ・ジュニアら）に記載されている。
【００７５】
本組成物に用いるのに適した両性の洗浄性界面活性剤は、当該技術分野において周知であり、それには、脂肪族ラジカルが線状又は分枝状であることができる脂肪族二級及び三級アミンの誘導体として広く記述される界面活性剤が含まれるが、その際、脂肪族置換基の１つが８〜１８の炭素原子を含有し、１つがカルボキシ、スルホネート、サルフェート、ホスフェート、又はホスホネートのような陰イオン性基を含有する。本発明に用いるのに適した両性の洗浄性界面活性剤には、ココアンホアセテート、ココアンホジアセテート、ラウロアンホアセテート、ラウロアンホジアセテート、及びこれらの混合物が含まれる。
【００７６】
本組成物に用いるのに適した双極性の洗浄性界面活性剤は、当該技術分野において周知であり、それには、脂肪族ラジカルが線状又は分枝状であることができる脂肪族四級アンモニウム、ホスホニウム、及びスルホニウム化合物の誘導体として広く記述される界面活性剤が含まれるが、その際、脂肪族置換基の１つが８〜１８の炭素原子を含有し、１つがカルボキシ、スルホネート、サルフェート、ホスフェート又はホスホネートのような陰イオン性基を含有する。ベタイン類のような双極性物質は、本発明に適している。
【００７７】
さらに、式：Ｒ（ＥＯ）ｘ（ＰＯ）ｙ（ＢＯ）ｚＮ（Ｏ）（ＣＨ２Ｒ’）２・ｑＨ２Ｏ（Ｉ）を有するアミンオキシド界面活性剤もまた、本発明の組成物に組み込むのに好適である。Ｒは、飽和又は不飽和、線状又は分枝状であることができ、８〜２０、好ましくは１０〜１６の炭素原子を含有することができる、比較的長鎖のヒドロカルビル部分であり、より好ましくはＣ１２〜Ｃ１６の一級アルキルである。Ｒ’は、好ましくは水素、メチル、及び−ＣＨ２ＯＨから選択される、短鎖部分である。ｘ＋ｙ＋ｚが０ではない場合、ＥＯは、エチレンオキシ、ＰＯは、プロピレンオキシ、ＢＯは、ブチレンオキシである。アミンオキシド界面活性剤は、Ｃ１２〜１４アルキルジメチルアミンオキシドによって例示される。
【００７８】
組成物に用いるのに適した他の陰イオン性、双極性、両性、又は任意の追加的な界面活性剤の非限定例は、マカッチャン（McCutcheon）の、乳化剤及び洗剤（Emulsifiers and Detergents）、１９８９年年鑑、Ｍ．Ｃ．出版社（M.C.Publishing Co.）より出版、並びに米国特許第３，９２９，６７８号、同第２，６５８，０７２号；同第２，４３８，０９１号；同第２，５２８，３７８号に記載されている。
【００７９】
（Ｈ，洗濯補助物質）
（ａ）安定剤  −  本発明の組成物は、所望により安定剤を含んでよく、好ましくは安定剤を含む。この構成成分の好適な濃度は、組成物の０．０重量％〜２０重量％、好ましくは０．１重量％〜１０重量％、さらに好ましくは０．１重量％〜３重量％の範囲である。安定剤は、本発明の組成物中でシリコーンポリマーを安定化させ、シリコーンポリマーが凝固及び／又はクリーム状になるのを防ぐ働きをする。これは、本発明の組成物が、強力洗浄用又は繊細な布地の洗浄用の液体若しくはゲル形態の洗濯洗剤、並びに洗濯洗剤以外の液体若しくはゲル形態の布地処理剤の場合のように流体形態であるときに、特に重要である。
【００８０】
本明細書に用いるのに適した安定剤は、増粘安定剤から選択することができる。これらには、ゴム類及び他の類似の多糖類、例えば、ジェランガム、カラギーナンゴム、並びに高度にポリアニオン性である種類以外の、他の既知の種類の増粘剤及びレオロジー的添加剤が含まれており、したがって、従来の粘土類は含まれない。
【００８１】
より好ましくは、安定剤は、結晶性のヒドロキシル基含有安定化剤であり、さらに好ましくは、トリヒドロキシステアリン、硬化油、又はそれらの誘導体である。
【００８２】
理論に束縛されるものではないが、結晶性のヒドロキシル基含有安定化剤は、「糸状構造化系」の非限定例である。本明細書で使用するとき、「糸状構造化系」は、物質が結合して凝集する傾向及び／又は相分離する傾向を低減する、化学的網状構造を提供可能な１以上の剤を含む系を意味する。その１以上の剤の例には、結晶性のヒドロキシル基含有安定化剤及び／又は水素添加ホホバが含まれる。界面活性剤は、糸状構造化系の定義に含まれない。理論に束縛されるものではないが、糸状構造化系は、そのマトリックスを冷却すると、その場で繊維状又は絡合した糸状の網状構造を形成すると考えられている。糸状構造化系は、１．５：１、好ましくは少なくとも１０：１〜２００：１の平均アスペクト比を有する。
【００８３】
糸状構造化系は、標準的な瓶から洗剤を注ぎ出すことが可能な、中間的な剪断範囲（５ｓ−１〜５０ｓ−１）で０．００２ｍ２／ｓ（２０℃で２，０００センチストーク）以下の粘度を有するようにすることができ、一方、０．１ｓ−１での製品の低い剪断粘度を、少なくとも０．００２ｍ２／ｓ（２０℃で２，０００センチストーク）にすることができるが、０．０２ｍ２／ｓ（２０℃で２０，０００センチストーク）よりも大きいことがより好ましい。糸状構造化系の調製方法は、国際公開第０２／１８５２８号に開示されている。
【００８４】
他のあまり好ましくない安定剤は、非荷電の、中性多糖類、ガム類、セルロース類、及びポリビニルアルコールのようなポリマー類である。
【００８５】
（ｂ）カップリング剤  −  本明細書に用いるのに適したカップリング剤には、顕著な界面活性剤特性を有するもの以外、又は従来の溶媒（低級アルカノールアミン類など）以外の、脂肪族アミン類が含まれる。これらカップリング剤の例には、ヘキシルアミン、オクチルアミン、ノニルアミン、並びにこれらのＣ１〜Ｃ３二級及び三級類似体が含まれる。この構成成分の濃度は、存在する場合、好適には、組成物の０．１重量％〜２０重量％、より典型的には０．５重量％〜５重量％の範囲である。
【００８６】
特に有用なカップリング剤の群は、少なくとも５つ、好ましくは６つの脂肪族炭素原子によって互いに分離された２つの極性基から成る分子から成る群から選択され、この群の好ましい化合物は窒素を含有せず、これらには、１，４シクロヘキサンジメタノール（ＣＨＤＭ）、１，６ヘキサンジオール、１，７ヘプタンジオール、及びこれらの混合物が含まれる。１，４−シクロ−ヘキサン−ジ−メタノールは、そのシス配置、そのトランス配置、又はその両方の配置の混合のいずれかで存在してよい。
【００８７】
（ｃ）洗剤ビルダー  −  本発明の組成物は、所望により、組成物の０．０重量％〜８０重量％、好ましくは５重量％〜７０重量％、より好ましくは２０重量％〜６０重量％の濃度でビルダーを含んでよい。
【００８８】
一般に、既知の洗剤ビルダーのいずれも本明細書で有用であり、これには、ゼオライト類、層状シリケート類、脂肪酸類、及びアルカリ金属ポリホスフェート類のようなホスフェート類などの無機物種、並びに特にシトレート２，２−オキシジスクシネート、カルボキシメチルオキシスクシネート、ニトリロトリアセテートなどのアルカリ金属塩を含めた有機物種が含まれる。比較的低い分子量、例えば１，０００未満の分子量を有する、ホスフェート非含有の水溶性有機ビルダー類は、本明細書に用いるのにきわめて好ましい。他の好適なビルダー類には、炭酸ナトリウム、及び様々なＳｉＯ２：Ｎａ２Ｏ含有量の比を有する、例えば１：１〜３：１、典型的には２：１の比の、ケイ酸ナトリウムが含まれる。
【００８９】
特にＣ１２〜Ｃ１８飽和及び／又は不飽和、線状及び／又は分枝状脂肪酸類が好ましいが、好ましいのはこのような脂肪酸類の混合物である。飽和及び不飽和脂肪酸類の混合物がきわめて好ましいことが判明しており、例えば、ナタネ由来の脂肪酸とＣ１６〜Ｃ１８の初留揮発分全除去（topped whole cut）脂肪酸類との混合物、又はナタネ由来の脂肪酸とタローアルコールから誘導される脂肪酸との混合物、パルミチン酸、オレイン酸、脂肪族アルキルコハク酸、並びにこれらの混合物が好ましい。さらに好ましいのは、合成又は天然由来の分枝状脂肪酸類、特に生分解性の分枝状の種類である。
【００９０】
用語「脂肪酸ビルダー」は、一般的に使用されているが、本洗剤に配合されるときには、脂肪酸が少なくとも部分的に中和した形態へと中和されており、対イオンが典型的には、アルカノールアミン類、ナトリウム、カリウム、アルカノールアンモニウム、又はこれらの混合物であることができることを理解且つ認識すべきである。好ましくは、脂肪酸類は、モノエタノールアミンのようなアルカノールアミン類で中和され、液相に十分に可溶である。
【００９１】
（ｄ）布地持続性香料（Fabric substantive perfume）  −  本発明の布地処理組成物は、洗った布地に清新な印象をもたらす心地良い匂いの形態をした「香りのシグナル」を提供するための、香料を含むことができる。布地持続性香料成分は、好適には組成物の０．０００１重量％〜１０重量％の範囲の濃度であり、その沸点（Ｂ．Ｐ．）によって特徴付けられる。布地持続性香料成分は、通常の標準圧力７６０ｍｍＨｇで測定したときに、２４０℃以上、好ましくは２５０℃以上の沸点を有する。好ましくは、布地持続性香料成分は、３より大きい、より好ましくは３〜６のＣｌｏｇＰを有する。
【００９２】
本発明で使用される好ましい組成物は、少なくとも２つ、好ましくは少なくとも３つ、より好ましくは少なくとも４つ、さらに好ましくは少なくとも５つ、さらに好ましくは少なくとも６つ、さらに好ましくは少なくとも７つの異なる布地持続性香料成分を含有する。天然源から誘導される最も一般的な香料成分は、多数の構成成分から構成される。このような各物質が本発明の好ましい香料組成物の配合に使用されるときには、本発明を定義する目的では、それら各物質は、単一成分として数えられる。
【００９３】
本発明の組成物に使用するのに適した布地持続性香料成分の非限定例は、国際公開第０２／１８５２８号に開示されている。
【００９４】
（ｅ）酵素  −  本明細書に用いるのに適した酵素類には、プロテアーゼ、アミラーゼ、セルラーゼ、マンナナーゼ、エンドグルカナーゼ、リパーゼ、及びこれらの混合物が含まれる。酵素類は、その技術分野で教示される濃度、例えば、ノボ（Novo）及びジェネンコア（Genencor）のような供給元によって推奨される濃度で使用することができる。組成物中での好ましい濃度は、０重量％〜５重量％、より好ましくは０．０００１重量％〜５重量％である。酵素類が存在するときには、本発明の特定の実施形態では、当該酵素類を非常に低い濃度、例えば０．００１％以下で使用することができ、又は本発明による強力型の洗濯洗剤配合では、当該酵素類をより高濃度、例えば０．１％以上で使用することができる。「非生物学的」洗剤を好む消費者がいることを踏まえて、本発明には、酵素を含有する実施形態と酵素を含有しない実施形態の両方が含まれる。
【００９５】
（ｆ）キレート剤  −  本明細書に用いるのに適したキレート剤には、ＥＤＤＳ、ＥＤＴＡ、及びＤＴＰＡのような窒素を含有する無リンのアミノカルボキシレート類；ジエチレントリアミンペンタメチレンホスホン酸及びエチレンジアミンテトラメチレンホスホン酸のようなアミノホスホネート類；ＨＥＤＰのような窒素非含有ホスホネート類；並びに漂白触媒系での使用が知られているような一般的な部類の特定の大環状Ｎ−配位子の化合物のような、窒素又は酸素を含有し、カルボキシレートを含まない、無リンのキレート剤が含まれる。キレート剤の濃度は、典型的には５％未満であり、より典型的には、存在するときには、キレート剤は、０．０１％〜３％の濃度である。
【００９６】
（ｇ）発泡系  −  本明細書に好適な発泡系には、酸と重炭酸塩若しくは炭酸塩とを組み合わせることによって、又は過酸化水素とカタラーゼとを組み合わせることによって誘導されるもの、又は小さな気泡を放出する他の物質のいずれかの組み合わせが含まれる。発泡系の構成成分は、それらが混合されるときに泡を形成するように組み合わせて分配してよく、又は従来のコーティング若しくは保護系が使用されることを条件に、１つに配合することができる。発泡系の濃度は、非常に広範に変化させることができ、例えば、発泡性構成成分全体で、組成物の０．１％〜３０％の範囲にすることができる。過酸化水素及びカタラーゼは、非常に質量効率が良く、はるかに低い濃度でも優れた結果を得ることができる。
【００９７】
（ｈ）抑泡系  −  本明細書に用いるのに適した抑泡系は、典型的には組成物の１０重量％未満、好ましくは０．００１重量％〜１０重量％、好ましくは０．０１重量％〜８重量％、最も好ましくは０．０５重量％〜５重量％の濃度で、基本的にすべての既知の消泡化合物又は混合物を含んでよい。好適な抑泡剤には、高結晶性蝋類及び／又は水素添加脂肪酸類、シリコーン類、シリコーン／シリカ混合物などの低溶解度構成成分、又はより高度に混合された（compounded）抑泡剤の組み合わせ、例えばダウ・コーニング（Dow Corning）のような会社から市販されているものを含めることができる。混合シリコーン類（Compounded silicones）は、好適には０．００５重量％〜０．５重量％の濃度で使用される。より溶解性の高い消泡剤には、例えば、２−メチル−ブタノールのような低級２−アルキルアルカノール類が含まれる。
【００９８】
（ｉ）液体キャリア  −  本発明の布地処理組成物が液体組成物である場合、当該組成物は、液体キャリアを含むことができる。液体キャリアは、水性又は非水性のものにすることができ、この液体キャリアには、水だけ、有機溶媒だけ、及び／又はそれらの混合物を含めることができる。好ましい有機溶媒には、一価アルコール類、二価アルコール類、多価アルコール類、グリセロール、グリコール類、ポリエチレングリコールのようなポリアルキレングリコール類、及びこれらの混合物が含まれる。きわめて好ましいのは、溶媒の混合物であり、とりわけ、エタノール、プロパノ−ル、ブタノ−ル、イソプロパノールのような低級脂肪族アルコール類、及び／又は１，２−プロパンジオール若しくは１，３−プロパンジオールのようなジオール類、又はこれらの混合物と、グリセロールとの混合物である。好適なアルコール類には、とりわけ、Ｃ１〜Ｃ４アルコールが含まれる。１，２−プロパンジオールが好ましい。液体キャリアは、典型的には組成物の０．０重量％〜約９８重量％、好ましくは少なくとも１０重量％〜９５重量％、より好ましくは２５重量％〜７５重量％の範囲の濃度で存在する。
【００９９】
（ｊ）アミノシリコーン  −  本明細書で「アミノシリコーン」は、いずれかのアミン官能化シリコーン、すなわち、少なくとも１つの一級アミン、二級アミン、又は三級アミンを含有するシリコーンを意味する。好ましいアミノシリコーン類は、典型的には、当該アミノシリコーンの０．０１重量％〜１重量％の窒素、より好ましくは０．０５重量％〜０．５重量％の窒素を有する。存在する場合、アミノシリコーンポリマーは、典型的には、組成物の０．００１重量％〜５０重量％、好ましくは少なくとも０．０１重量％〜３０重量％、より好ましくは０．１重量％〜１０重量％、最も好ましくは０．２重量％〜５．０重量％の範囲の濃度で存在する。
【０１００】
典型的には、アミノシリコーンは、０．００１ｍ２／ｓ（２０℃で１，０００センチストーク）〜０．０５ｍ２／ｓ（２０℃で５０，０００センチストーク）、より好ましくは０．００２ｍ２／ｓ（２０℃で２，０００センチストーク）〜０．０３ｍ２／ｓ（２０℃で３０，０００センチストーク）、より好ましくは０．００４ｍ２／ｓ（２０℃で４，０００センチストーク）〜０．０２ｍ２／ｓ（２０℃で２０，０００センチストーク）の粘度を有する。
【０１０１】
本発明の組成物で使用するのに好ましいアミノシリコーン類の例には、これらに限定するものではないが、次の一般式（Ｖ）に従うものが含まれ：
（Ｒ１）ａＧ３−ａ−Ｓｉ−（−ＯＳｉＧ２）ｎ−（−ＯＳｉＧｂ（Ｒ１）２−ｂ）ｍ−Ｏ−ＳｉＧ３−ａ（Ｒ１）ａ
式中、Ｇは、水素、フェニル、ヒドロキシ、又はＣ１〜Ｃ８アルキル、好ましくはメチルであり；ａは、０、又は１〜３の値を有する整数、好ましくは１であり；ｂは、０、１、又は２、好ましくは１であり；ｎは、０〜１，９９９、好ましくは４９〜５００の数字であり；ｍは、１〜２０００、好ましくは１〜１０の整数であり；ｎとｍの合計は、１〜２０００、好ましくは５０〜５００の数であり；Ｒ１は、一般式ＣｑＨ２ｑＬに従う一価のラジカルであり、式中、ｑは、２〜８の値を有する整数であり、Ｌは、次の群から選択され：−Ｎ（Ｒ２）ＣＨ２−ＣＨ２−Ｎ（Ｒ２）２；−Ｎ（Ｒ２）２；式中、Ｒ２は、水素、フェニル、ベンジル、又は飽和炭化水素ラジカル、好ましくはＣ１〜Ｃ２０のアルキルラジカルである。
【０１０２】
式（Ｖ）に相当する好ましいアミノシリコーンは、以下の式（ＶＩ）に示されており：
【化１０】
2010013790.tif 000011
式中、Ｒは、Ｃ１〜Ｃ４アルキル、アルコキシ、ヒドロキシアルキル、及びこれらの混合物、好ましくはメチル及びメトキシから独立して選択される。両方のＲ基がメチルのときには、上記ポリマーは、「トリメチルシリルアモジメチコン」として知られる。
【０１０３】
最も好ましいアミノシリコーン類は、ワッカー（Wacker）から商品名ワッカー・ベルシル（Wacker Belsil）（登録商標）ＡＤＭ１１００及びワッカー・フィニッシュ（Wacker Finish）（登録商標）ＷＲ１１００として市販されているもの、並びにゼネラル・エレクトリック（General Electric）からゼネラル・エレクトリック（General Electric）（登録商標）ＳＦ１９２３として市販されているものである。
【０１０４】
（ｊ）窒素非含有シリコーンポリマー  −  この構成成分の好適な濃度は、組成物の０．０重量％〜９０重量％、好ましくは０．０１重量％〜５０重量％、より好ましくは０．１重量％〜１０重量％、最も好ましくは０．５重量％〜５.０重量％の範囲である。
【０１０５】
本発明の組成物で使用するために選択される窒素非含有シリコーンポリマーには、非イオン性、双極性、及び両性の窒素非含有シリコーンポリマー類が含まれる。
【０１０６】
好ましくは、窒素非含有シリコーンポリマーは、式（Ｉ）〜（ＩＩＩ）を有する非イオン性の窒素非含有シリコーンポリマー類及びそれらの混合物から選択され：
【化１１】
2010013790.tif 000012
Ｒ２−（Ｒ１）２ＳｉＯ−［（Ｒ１）２ＳｉＯ］ａ−［（Ｒ１）（Ｒ２）ＳｉＯ］ｂ−Ｓｉ（Ｒ１）２−Ｒ２    （ＩＩ）
【化１２】
2010013790.tif 000013
式中、各Ｒ１は、１〜２０の炭素原子を有する線状、分枝状、又は環状アルキル基；２〜２０の炭素原子を有する線状、分枝状、又は環状アルケニル基；６〜２０の炭素原子を有するアリール基；７〜２０の炭素原子を有するアルキルアリール基；７〜２０の炭素原子を有するアリールアルキル及びアリールアルケニル基、並びにこれらの混合物から成る群から独立して選択され；各Ｒ２は、１〜２０の炭素原子を有する線状、分枝状、又は環状アルキル基；２〜２０の炭素原子を有する線状、分枝状、又は環状アルケニル基；６〜２０の炭素原子を有するアリール基；７〜２０の炭素原子を有するアルキルアリール基；アリールアルキル；７〜２０の炭素原子を有するアリールアルケニル基、及び一般式（ＩＶ）を有するポリ（エチレンオキシド／プロピレンオキシド）コポリマー基から成る群から独立して選択され：
−（ＣＨ２）ｎＯ（Ｃ２Ｈ４Ｏ）ｃ（Ｃ３Ｈ６Ｏ）ｄＲ３    （ＩＶ）
ここで、少なくとも１つのＲ２は、ポリ（エチレンオキシ／プロピレンオキシ）コポリマー基であり、各Ｒ３は、水素、１〜４つの炭素原子を有するアルキル、及びアセチル基から成る群から独立して選択され、式中、添字ｗは、式（Ｉ）及び（ＩＩＩ）の窒素非含有シリコーンポリマーの粘度が２・１０−６ｍ２／ｓ（２０℃で２センチストーク）〜５０ｍ２／ｓ（２０℃で５０，０００，０００センチストーク）になるような値を有してなり；ａは、１〜５０であり；ｂは、１〜５０であり；ｎは、１〜５０であり；ｃの合計（全ポリアルキレンオキシ側基について）は、１〜１００の値を有してなり；ｄの合計は、０〜１４であり；ｃ＋ｄの合計は、５〜１５０の値を有する。
【０１０７】
より好ましくは、窒素非含有シリコーンポリマーは、前述の式（ＩＩ）〜（ＩＩＩ）を有する線状の非イオン性の窒素非含有シリコーンポリマー類から選択され、式中、Ｒ１は、メチル、フェニル、及びフェニルアルキルから成る群から選択され；Ｒ２は、メチル、フェニル、フェニルアルキル、及び上記で定義した一般式（ＩＶ）を有する基から成る群から選択され；Ｒ３は、上記で定義した通りであり、添字ｗは、式（ＩＩＩ）の窒素非含有シリコーンポリマーの粘度が０．０１ｍ２／ｓ（２０℃で１０，０００センチストーク）〜０．８ｍ２／ｓ（２０℃で８００，０００センチストーク）になるような値を有してなり；ａは、１〜３０であり、ｂは、１〜３０であり、ｎは、３〜５であり、ｃの合計は、６〜１００であり、ｄの合計は、０〜３であり、ｃ＋ｄの合計は、７〜１００である。
【０１０８】
最も好ましくは、窒素非含有シリコーンポリマーは、前述の式（ＩＩＩ）を有する線状の非イオン性の窒素非含有シリコーンポリマー類、及びそれらの混合物から選択され、式中、Ｒ１は、メチルであり、添字ｗは、式（ＩＩＩ）の窒素非含有シリコーンポリマーの粘度が０．０６ｍ２／ｓ（２０℃で６０，０００センチストーク）〜０．７ｍ２／ｓ（２０℃で７００，０００センチストーク）、より好ましくは０．１ｍ２／ｓ（２０℃で１００，０００センチストーク）〜０．４８ｍ２／ｓ（２０℃で４８０，０００センチストーク）になるような値を有する。
【０１０９】
式（ＩＩ）の窒素非含有シリコーンポリマー類の非限定例は、コネチカット州ダンベリー（Danbury）のウィトコ（Witco）の一部門であるＯＳＩスペシャリティーズ・インコーポレーテッド（OSI Specialties Inc.）から入手可能なシルウェット（Silwet）（登録商標）化合物である。式（Ｉ）及び（ＩＩＩ）の窒素非含有シリコーンポリマー類の非限定例は、ダウ・コーニング（Dow Corning）から得られるシリコーン２００流体（Silicone 200 fluid）シリーズである。
【０１１０】
（ｋ）他の補助剤  −  他の好適な洗浄補助物質の例には、これらに限定するものではないが、脂肪酸類、トリメトキシ安息香酸若しくはその塩（ＴＭＢＡ）のようなアルコキシル化安息香酸類又はそれらの塩、従来の（布地持続性ではない）香料及びプロ香料（pro-perfumes）、双極性及び／又は両性界面活性剤、漂白剤、漂白活性化剤、漂白触媒、酵素安定化系、光学的光沢剤又は蛍光剤、汚れ放出ポリマー類、水溶性のポリアクリレート類及びアクリレート／マレエートコポリマー類などを含めた分散剤又は高分子有機ビルダー、抑泡剤、染料、着色剤、硫酸ナトリウムのような増量剤塩（filler salts）、トルエンスルホネート類、クメンスルホネート類、及びナフタレンスルホネート類のような向水性物質、光活性化剤、加水分解型界面活性剤、防腐剤、酸化防止剤、収縮防止剤、防皺剤、殺菌剤、殺真菌剤、カラースペックル（color speckles）、着色されたビーズ、球体又は押出物、日焼け止め剤、フッ素化化合物、粘土類、真珠光沢剤、発光剤又は化学発光剤、耐食剤及び／又は機器保護剤、アルカリ源又は他のｐＨ調整剤、可溶化剤、キャリア、加工助剤、顔料、フリーラジカル捕捉剤、及びｐＨ制御剤が含まれる。好適な物質には、米国特許第５，７０５，４６４号、同第５，７１０，１１５号、同第５，６９８，５０４号、同第５，６９５，６７９号、同第５，６８６，０１４号、及び同第５，６４６，１０１号に記載のものが含まれる。
【０１１１】
布地処理組成物の調製プロセス  −  本発明の布地処理組成物は、いずれか好適な方式で調製することができ、一般に、いずれかの順序で混合又は添加する調製方式にすることができる。
【０１１２】
本発明の布地処理組成物を調製するこの方法は、好ましくは、従来の高剪断混合手段を使用して実施される。これによって、確実に成分が最終組成物全体に適切に分散される。
【０１１３】
本発明による液体組成物、特に液体洗剤組成物は、好ましくは安定剤を含んでなり、特に好ましいのは、トリヒドロキシステアリン又は硬化ヒマシ油、例えば、チキシン（Thixcin）（登録商標）として市販されている種類のものである。安定剤が本組成物に添加されるときには、好ましくは、当該安定剤は、当該組成物の１以上の補助剤又は非シリコーン成分を含む別個の安定剤プレミックスとして導入される。そのような安定剤プレミックスが使用されるときには、好ましくは、反対に帯電したポリマー類の添加後に組成物へと添加される。
【０１１４】
組成物の形態及び種類  −  本発明の布地処理組成物は、液体（水性若しくは非水性）、顆粒、ペースト、粉末、スプレー、泡、錠剤、及びゲルのようないずれの形態であってもよい。単位化された１回量の組成物は、別個の、ただし組み合わされた、２以上の分配可能部分を形成する組成物として含まれる。顆粒状の組成物は、「小型」又は「低密度」形態にすることができ、液体組成物はまた、「濃縮」又は希釈形態にすることができる。本発明の好ましい布地処理組成物には、液体、より好ましくは強力型の液体布地処理組成物、並びに「標準的な」、繊細ではない布地に加えて、絹や羊毛などを含めた繊細な布地を洗うための液体洗濯洗剤が含まれる。提供される組成物と水とを広範な割合で混合することによって形成される組成物も、包含される。
【０１１５】
また、本発明の布地処理組成物は、布地ケア効果を送達する、すすぎ添加組成物の形態、例えば、すすぎ添加布地柔軟化組成物の形態、又は布地仕上げ組成物の形態、又は皺低減組成物の形態で存在してもよい。
【０１１６】
本発明の布地処理組成物は、好ましくは好適なスプレーディスペンサー内に入れられた、スプレー組成物の形態であってもよい。また、本発明には、単相組成物、並びに２相組成物又は多相組成物までものような、広範な種類の製品が含まれる。本発明の布地処理組成物は、単一区画、２区画、又は多区画の瓶に組み込まれて保管されてもよい。
【０１１７】
（布地の処理方法、及び形態に関連した本発明の組成物の使用）
本明細書で使用するとき、用語「基材」とは、本発明の組成物のいずれかによって本明細書に記載した布地ケア効果の１以上が付与される、天然及び／若しくは合成繊維を含む基材又は布地、特に布地又は衣類を意味する。
【０１１８】
基材と本発明の布地処理組成物とを接触させる工程を含む、基材を処理する方法が、本発明に組み込まれる。本明細書で使用するとき、「布地処理組成物」には、布地ケア添加組成物、並びに汚れた布地の浸漬及び／又は前処理に使用するのに適した組成物を含めて、手洗い用、機械洗い用、及び他の目的の布地処理組成物が含まれる。
【０１１９】
本明細書では特に布地処理組成物について論じたが、少なくとも１つの陽イオン性ポリマーと少なくとも１つの陰イオン性ポリマーとを含む本発明の組成物であって、これら２つのポリマーのうち少なくとも１つがシリコーンポリマーであり、天然繊維及び合成繊維の処理、洗浄、コンディショニング、及び／又はリフレッシングの際に使用されるさらなる界面活性剤を追加することなしに、当該組成物が液体キャリアで希釈されるとコアセルベート相を形成するような組成物が、本発明に包含される。
【実施例】
【０１２０】
以下の非限定例は、本発明を例示するものである。特に指定しない限り、パーセンテージは重量による。
【０１２１】
（実施例１）
独特の２つのプレミックス、すなわち、以下の配合Ａ１による布地洗浄プレミックスＡと、以下の布地ケアプレミックスＢとを組み合わせることによって、最終布地処理組成物を配合する。
【表１】
2010013790.tif 000014
（１）マーリパル（Marlipal）１４１５／８．１（セイソル（Sasol）より）
（２）Ｃ１２〜１４アルキルジメチルアミンオキシド（Ｐ＆Ｇより）（水中３１％活性溶液として供給される）
【０１２２】
布地ケアプレミックスＢの調製は、３つの工程に分けられる：
１．陽イオン性グアーガムプレミックス（プレミックスＢ１）の調製：
通常の実験室用ブレードミキサー（タイプ：ヤンケ・アンド・クンケル（Janke & Kunkel）ＩＫＡ−レイバーテクニックＲＷ２０（IKA-Labortechnik RW 20））で、５．０ｇの陽イオン性グアーガム（３）を４９５ｇの脱塩水中に混合することによって、プレミックスＢ１を製造する。この混合物を２０分間攪拌する。
【０１２３】
２．陰イオン性シリコーンエマルション（プレミックスＢ２）の調製：
２７．４ｇの陰イオン性シリコーンエマルション（４）のｐＨを、２．８ｇのＨＣｌ  １Ｍで、ｐＨ７．８〜８．０に調整することによって、プレミックスＢ２を製造する。
【０１２４】
３．２つのプレミックスＢ１及びＢ２の組み合わせ：
３７．５ｇのプレミックスＢ１を３０．２ｇのプレミックスＢ２に添加する。この混合物を、通常の実験室用ブレードミキサーで１５分間攪拌する。
【０１２５】
通常の実験室用ブレードミキサーを用いて、１３．６ｇのプレミックスＢ（プレミックスＢ１及びＢ２を組み合わせたもの）を１００ｇのプレミックスＡに加えることによって、最終布地処理組成物を配合する。
【０１２６】
（３）陽イオン性グアーガム：ガラクトゾル（Galactosol）ＳＰ８１３Ｓ（アクアロン（Aqualon）より）
（４）陰イオン性シリコーンエマルション：デンソドリン（Densodrin）ＯＦ（ＢＡＳＦより）（１８．２％活性物質）
【０１２７】
（実施例２）
調製は、３つの工程に分けられる：
１．陽イオン性グアーガムプレミックス（プレミックスＣ）の調製：
通常の実験室用ブレードミキサーを使用して、５．０ｇの陽イオン性グアーガム（３）を４９５ｇの脱塩水と混合することによって、プレミックスＣを製造する。この混合物を２０分間攪拌する。
【０１２８】
２．陰イオン性シリコーンエマルション（プレミックスＤ）の調製：
８２．４ｇの陰イオン性シリコーンエマルション（４）のｐＨを、８．８ｇのＨＣｌ  １Ｍで、ｐＨ７．８〜８．０に調整することによって、プレミックスＤを製造する。
【０１２９】
３．２つのプレミックスＣ及びＤの組み合わせ：
７５．０ｇのプレミックスＣを９１．２ｇのプレミックスＤに添加する。この混合物を、通常の実験室用ブレードミキサーで１５分間攪拌する。
【０１３０】
このプレミックスＣ及びＤを組み合わせたもの３３．３ｇを、すすぎ添加布地処理組成物として使用する。
【０１３１】
（実施例３）
調製は、３つの工程に分けられる：
１．陰イオン性グアーガムプレミックス（プレミックスＥ）の調製：
通常の実験室用ブレードミキサーを使用して、１５ｇの陰イオン性グアーガム（ハーキュレス／アクアロン（Hercules/Aqualon）から得られるガラクトゾル（Galactosol）ＳＰ７２２Ｓ）と１４８５ｇの脱塩水とを混合することによって、プレミックスＥを調製する。この混合物を、全粘度発達まで３０分間攪拌する。
【０１３２】
２．陽イオン性シリコーンエマルション（プレミックスＦ）の調製：
通常の実験室用ブレードミキサーで、２４．３９ｇの陽イオン性シリコーン溶液（５）を６．０５ｇのＣ１２〜１５ＥＯ３（６）と混合することによって、プレミックスＦを調製する。１０分後、６．７ｇのエタノールを添加する。さらに１０分後、８．７１ｇのＣ１２〜１４アルキルジメチルアミンオキシドの水中３１％活性溶液（２）を添加する。さらに１０分後、攪拌を続けながら、５４．２ｇの脱塩水を混合物に素早く添加する。０．８ｇの０．１Ｍ  ＨＣｌで、プレミックスのｐＨをｐＨ７．５にする。
【０１３３】
３．２つのプレミックスＥ及びＦの組み合わせ：
すすぎ添加最終布地ケア組成物を配合するには、通常の実験室用ブレードミキサーで攪拌を続けながら、１００ｇのプレミックスＥを７５ｇのプレミックスＦに添加する。
【０１３４】
これら組み合わせたプレミックス１７．５ｇを、すすぎ添加布地ケア組成物として使用する。
【０１３５】
（５）構造２ｂの陽イオン性シリコーン構造：（ｉ）の式中、Ｒ１、Ｒ３＝ＣＨ３、Ｒ２＝（ＣＨ２）３、Ｘ＝ＣＨ２ＣＨＯＨＣＨ２、ａ＝０；ｂ＝１；ｃ＝１５０；ｄ＝０；陽イオン性の二価の部分：ｉｉ（ａ）の式中、Ｒ４、Ｒ５、Ｒ６、Ｒ７はすべてＣＨ３、Ｚ１は（ＣＨ２）６。Ａ＝アセテート５０モル％、ラウレート５０モル％、ｍ＝２；ポリアルキレンオキシドアミン部分（ｉｉｉ）は−ＮＨＣＨ（ＣＨ３）ＣＨ２−［ＯＣＨ（ＣＨ３）ＣＨ２］ｒ−［ＯＣＨ２ＣＨ２］３８．７−［ＯＣＨ２ＣＨ（ＣＨ３）］ｚ−ＮＨ
−（式中、ｒ＋ｚ＝６．０）；陽イオン性の一価の部分ｉｖ（ｉ）はＲ１２、Ｒ１３及びＲ１４がすべてメチル。陽イオン性の二価の部分（ｉｉ）、ポリアルキレンオキシドアミン部分（ｉｉｉ）、及び陽イオン性の一価のアミン部分（ｉｖ）のモル分率は、オルガノシリコーン非含有部分の全モル数の分率で表したときに、それぞれ、０．８、０．１、及び０．１である。陽イオン性シリコーンは、エタノール中の８２重量％溶液として存在する。
【０１３６】
（６）ネオドール（Neodol）２５−３（シェル・ケミカルズ（Shell Chemicals）より）。
【０１３７】
（実施例４）
調製は、３つの工程に分けられる：
１．陰イオン性シリコーンエマルション（プレミックスＧ）の調製：
２７．４ｇの陰イオン性シリコーンエマルション（４）のｐＨを、２．８ｇのＨＣｌ  １Ｍで、ｐＨ７．８〜８．０に調整することによって、プレミックスＧを製造する。
【０１３８】
２．陽イオン性シリコーンエマルション（プレミックスＨ）の調製：
通常の実験室用ブレードミキサーで、２４．３９ｇの陽イオン性シリコーン溶液（５）を６．０５ｇのＣ１２〜１５ＥＯ３（６）と混合することによって、プレミックスＨを調製する。１０分後、６．７ｇのエタノールを添加する。さらに１０分後、８．７１ｇのＣ１２〜１４アルキルジメチルアミンオキシドの水中３１％活性溶液（２）を添加する。さらに１０分後、攪拌を続けながら、５４．２ｇの脱塩水を混合物に素早く添加する。０．８ｇの０．１Ｍ  ＨＣｌで、プレミックスのｐＨをｐＨ７．５にする。
【０１３９】
３．２つのプレミックスＧ及びＨの組み合わせ：
すすぎ添加最終布地ケア組成物を配合するには、通常の実験室用ブレードミキサーで攪拌を続けながら、１００ｇのプレミックスＧを７５ｇのプレミックスＨに添加する。
【０１４０】
これら組み合わせたプレミックス１７．５ｇを、すすぎ添加布地ケア組成物として使用する。
【外国語明細書】
2010013790000001.pdf